(57)【特許請求の範囲】
【請求項１】
カップ状容器ホルダーであって、
保持部（１０）と、保持部の一方の端部である後側の端部から連設された把持部（５０）とを有し、
保持部が、
カップ状容器を配置するための穴部又は穴部と隙間からなる容器配置部を有する保持部本体（１２）と、
容器配置部における後側の辺部から第１折れ線（Ｃ１、Ｃ２）を介して連設された舌片部（２０）と、
舌片部の辺部で保持部の展開状態において第１折れ線よりも前側の辺部から第２折れ線（Ｃ３、Ｃ３ａ、Ｃ３ｂ）を介して連設された支持部で、舌片部側とは反対側である支持部の先端側に、該先端側に突出した一対の差込み片部（３５、３６）を有する支持部（３０）と、
を有し、
把持部が、
保持部本体の後側の端部から連設された上面部（５２）と、
上面部の左右両側の辺部における左側の辺部から折れ線を介して連設された第１側面部（５４）と、
上面部の左右両側の辺部における右側の辺部から折れ線を介して連設された第２側面部（５６）と、
第１側面部における上面部側とは反対側の辺部から折れ線を介して連設された第１底面部（５８）と、
第２側面部における上面部側とは反対側の辺部から折れ線を介して連設された第２底面部（６０）と、
を有し、
第１底面部には、第１側面部側の辺部から形成された第１切欠部（５８Ｋ）と、第１側面部側の辺部と反対側の辺部から形成された第２切欠部（５８Ｌ）が設けられ、
第１側面部には、第１切欠部から連設された第３切欠部で、第１側面部における第１底面部側の辺部に対して後側に傾斜して形成された第３切欠部（５４Ｋ）が設けられ、
第２底面部には、第２側面部側の辺部から形成された第４切欠部（６０Ｋ）と、第２側面部側の辺部と反対側の辺部から形成された第５切欠部（６０Ｌ）が設けられ、
第２側面部には、第４切欠部から連設された第６切欠部で、第２側面部における第２底面部側の辺部に対して後側に傾斜して形成された第６切欠部（５６Ｋ）が設けられ、
カップ状容器ホルダーが、シート状のブランクにより形成され、
カップ状容器ホルダーの組立て状態において、舌片部が保持部本体に対して第１折れ線を介して下方に折り曲げられ、支持部が舌片部に対して第２折れ線を介して後側に折り曲げられ、第１底面部と第２底面部の上下の位置関係にかかわらず第１底面部と第２底面部が重ねられて筒状とされるとともに、第１切欠部と第５切欠部とが重なり、第４切欠部と第２切欠部が重なった状態の把持部に対して、一対の差込み片部における左側の差込み片部が、第１切欠部及び第３切欠部に差し込まれ、一対の差込み片部における右側の差込み片部が、第４切欠部及び第６切欠部に差し込まれ、
組立て状態のカップ状容器ホルダーの容器配置部にカップ状容器を配置することにより、カップ状容器は容器配置部に支持されるとともに、舌片部がカップ状容器の側面に接することを特徴とするカップ状容器ホルダー。
【請求項２】
支持部が、舌片部から第２折れ線を介して連設された第１支持板（３２）と、第１支持板の第２折れ線側とは反対側の辺部から第３折れ線（Ｃ４、Ｃ４ａ、Ｃ４ｂ）を介して連設された第２支持板（３４）とを有し、該一対の差込み片部は、第２支持板の第１支持板側とは反対側である先端側に設けられ、
一対の差込み片部における左側の差込み片部が、第１切欠部及び第３切欠部に差し込まれ、一対の差込み片部における右側の差込み片部が、第４切欠部及び第６切欠部に差し込まれた状態では、第２支持板が、第１支持板に対して上側に折曲した状態となっていることを特徴とする請求項１に記載のカップ状容器ホルダー。
【請求項３】
一対の差込み片部における左側の差込み片部が、第１切欠部及び第３切欠部に差し込まれ、一対の差込み片部における右側の差込み片部が、第４切欠部及び第６切欠部に差し込まれた状態では、舌片部が、第１底面部の前側の端部と第２底面部の前側の端部に接することを特徴とする請求項１又は２に記載のカップ状容器ホルダー。
【請求項４】
舌片部は、第１折れ線を介して連設された舌片部本体（２２）と、舌片部本体の第１折れ線側とは反対側の端部における左右両側から第１折れ線側とは反対側に突出した突状部（２４、２６）を有し、
支持部は、舌片部本体の第１折れ線側とは反対側の端部における該突状部が連設されていない辺部から第２折れ線を介して連設され、
組立て状態のカップ状容器ホルダーを載置面に載置した際には、該突状部の下端と把持部が載置面に接することを特徴とする請求項１又は２又は３に記載のカップ状容器ホルダー。
【請求項５】
舌片部には、第１折れ線の左側面側の端部と第２折れ線の左側面側の端部の間に形成された第４折れ線（Ｃ３１）と、第１折れ線の右側面側の端部と第２折れ線の右側面側の端部の間に形成された第５折れ線（Ｃ３２）が形成され、
舌片部においては、第４折れ線よりも左側の領域である左構成部（２２４）が第４折れ線と第５折れ線の間の領域である中央構成部（２２２）に対して第４折れ線を介して折曲げ可能であるとともに、第５折れ線よりも右側の領域である右構成部（２２６）が中央構成部（２２２）に対して第５折れ線を介して折曲げ可能であることを特徴とする請求項４に記載のカップ状容器ホルダー。
【請求項６】
第２折れ線が支持部側に膨出した円弧状に形成され、第４折れ線が左構成部側に膨出した円弧状に形成され、第５折れ線が右構成部側に膨出した円弧状に形成されていることを特徴とする請求項５に記載のカップ状容器ホルダー。
【請求項７】
把持部における第１底面部には、第１側面部側とは反対側の辺部における前側の端部から突出した第１アーム部（５９）が連設され、
把持部における第２底面部には、第２側面部側とは反対側の辺部における前側の端部から突出した第２アーム部（６１）が連設され、
カップ状容器ホルダーの組立て状態において、第１アーム部が、舌片部の右構成部が中央構成部に対して前側に折れ曲がった状態で、右構成部の後側の面に接し、第２アーム部が、舌片部の左構成部が中央構成部に対して前側に折れ曲がった状態で、左構成部の後側の面に接することを特徴とする請求項５又は６に記載のカップ状容器ホルダー。
【請求項８】
舌片部は、第１折れ線から折れ線を介して連設された舌片部本体（２２）と、舌片部本体の第１折れ線側とは反対側の端部における左右両側の辺部を除く部分である中央部分から第１折れ線側とは反対側に突出した突状部（２８）を有し、
支持部は、舌片部本体の第１折れ線側とは反対側の端部における左右両側の辺部から第２折れ線を介して連設され、
組立て状態のカップ状容器ホルダーを載置面に載置した際には、該突状部の下端と把持部が載置面に接することを特徴とする請求項１又は２又は３に記載のカップ状容器ホルダー。
【請求項９】
一対の差込み片部の間に設けられた切欠部は、支持部の先端側に向けて開口した略コ字状の第１辺部と、第１辺部の両側の端部からそれぞれ連設された第２辺部とを有し、一対の第２辺部は、該一対の第２辺部間の距離が支持部の先端側にいくほど長くなるように、テーパ状に形成されていることを特徴とする請求項１又は２又は３又は４又は５又は６又は７又は８に記載のカップ状容器ホルダー。
【請求項１０】
保持部本体における後側の領域には、舌片部に接する第２穴部（１２Ｊ）が設けられ、
第１底面部の前側の端部には、第７切欠部（５８Ｍ）が設けられるとともに、第２底面部の前側の端部には、第８切欠部（６０Ｍ）が設けられ、カップ状容器ホルダーの組立て状態において、第７切欠部と第８切欠部が重なることにより、凹状の切欠部（５０Ｍ）が第２穴部の下方に設けられることを特徴とする請求項１又は２又は３又は４又は５又は６又は７又は８又は９に記載のカップ状容器ホルダー。
【請求項１１】
保持部の展開状態において、舌片部の後側の端部から第２突状部（４０）が連設され、第２突状部の基端の左右両側に該第１折れ線が設けられ、第２突状部は、第２突状部と保持部本体の境界に形成された切込み（Ｋ４０）を介して保持部本体と隣接し、
カップ状容器ホルダーの組立て状態において、保持部本体には第２突状部が起立することによる第２穴部（１２Ｊ）が設けられ、
第１底面部の前側の端部には、第７切欠部（５８Ｍ）が設けられるとともに、第２底面部の前側の端部には、第８切欠部（６０Ｍ）が設けられ、カップ状容器ホルダーの組立て状態において、第７切欠部と第８切欠部が重なることにより、凹状の切欠部（５０Ｍ）が第２穴部の下方に設けられることを特徴とする請求項１又は２又は３又は４又は５又は６又は７又は８又は９に記載のカップ状容器ホルダー。
【請求項１２】
把持部は、把持部の展開状態において、前後方向の中心線を介して左右線対称に形成されていることを特徴とする請求項１又は２又は３又は４又は５又は６又は７又は８又は９又は１０又は１１に記載のカップ状容器ホルダー。
【発明の詳細な説明】
【技術分野】
【０００１】
本発明は、カップ状容器を保持するカップ状容器ホルダーに関するものである。
【背景技術】
【０００２】
従来より、カップ状容器を保持するホルダーとして、特許文献１に記載のカップ形容器用ホルダーが存在する。
【０００３】
すなわち、特許文献１に記載のカップ形容器用ホルダーは、厚紙製のものであり、該厚紙の前半部には、カップ係合用孔が形成され、 厚紙の後半部には、後端縁の幅方向のほぼ中間位置から前半部へ向けて、幅方向の長さの約半分程度の長さの切り込み９と、該切り込みの奥端近傍を通り両側縁間への折曲げ用横線１１と、該折曲げ用横線１１の両側端から後端縁の幅方向の中間位置近傍への折曲げ用斜め線１３，１３とを形成したものであり、上記後半部を折曲げ用斜め線１３，１３に沿って上側へ折曲げて形成される２つの三角形部１４，１４を、折曲げ用横線１１に沿って上方へ折り曲げながら、一方の三角形部１４を他方の三角形部１４の内側へ折り込んで把持部１５を形成可能としたことを特徴とするものである。
【先行技術文献】
【特許文献】
【０００４】
【特許文献１】実用新案登録第３１１３９４３号公報
【発明の概要】
【発明が解決しようとする課題】
【０００５】
しかし、特許文献１のカップ形容器用ホルダーにおいては、該ホルダーを組み立てる際に、後半部を折曲げ用斜め線１３，１３に沿って上側へ折曲げて形成される２つの三角形部１４，１４を、折曲げ用横線１１に沿って上方へ折り曲げながら、一方の三角形部１４を他方の三角形部１４の内側へ折り込んで把持部１５を形成しなければならず、組立てが面倒であるという問題があった。
【０００６】
また、特許文献１のカップ形容器用ホルダーにおいては、カップ状容器を安定してホルダーに保持することができない。つまり、カップ状容器をホルダーに保持した状態では、舌片１６がカップ状容器の側面に接するが、舌片１６が前半部から下方に伸びているだけであるので、カップ状容器が安定して保持されない。
【０００７】
また、特許文献１のカップ形容器用ホルダーにおいては、カップ状容器を保持した状態で安定して持つことができないという問題がある。すなわち、特許文献１の図８では、把持部１５の上端に親指を掛止し、把持部１５の下端を人差し指で支持しているが、２本の指で持つことにより安定して持つことができず、また、人差し指で支持される把持部１５の下端の面積が小さく、また、把持部１５の上端に掛止した指が滑るおそれもあるため、ホルダーを安定して持つことができない。
【０００８】
そこで、本発明は、カップ状容器を保持するホルダーであって、組立てが容易であり、カップ状容器を安定して保持することができ、さらには、カップ状容器を保持した状態で安定して手で持つことができるホルダーを提供することを目的とするものである。
【課題を解決するための手段】
【０００９】
本発明は上記問題点を解決するために創作されたものであって、第１には、カップ状容器ホルダーであって、保持部（１０）と、保持部の一方の端部である後側の端部から連設された把持部（５０）とを有し、保持部が、カップ状容器を配置するための穴部又は穴部と隙間からなる容器配置部を有する保持部本体（１２）と、容器配置部における後側の辺部から第１折れ線（Ｃ１、Ｃ２）を介して連設された舌片部（２０）と、舌片部の辺部で保持部の展開状態において第１折れ線よりも前側の辺部から第２折れ線（Ｃ３、Ｃ３ａ、Ｃ３ｂ）を介して連設された支持部で、舌片部側とは反対側である支持部の先端側に、該先端側に突出した一対の差込み片部（３５、３６）を有する支持部（３０）と、を有し、把持部が、保持部本体の後側の端部から連設された上面部（５２）と、上面部の左右両側の辺部における左側の辺部から折れ線を介して連設された第１側面部（５４）と、上面部の左右両側の辺部における右側の辺部から折れ線を介して連設された第２側面部（５６）と、第１側面部における上面部側とは反対側の辺部から折れ線を介して連設された第１底面部（５８）と、第２側面部における上面部側とは反対側の辺部から折れ線を介して連設された第２底面部（６０）と、を有し、第１底面部には、第１側面部側の辺部から形成された第１切欠部（５８Ｋ）と、第１側面部側の辺部と反対側の辺部から形成された第２切欠部（５８Ｌ）が設けられ、第１側面部には、第１切欠部から連設された第３切欠部で、第１側面部における第１底面部側の辺部に対して後側に傾斜して形成された第３切欠部（５４Ｋ）が設けられ、第２底面部には、第２側面部側の辺部から形成された第４切欠部（６０Ｋ）と、第２側面部側の辺部と反対側の辺部から形成された第５切欠部（６０Ｌ）が設けられ、第２側面部には、第４切欠部から連設された第６切欠部で、第２側面部における第２底面部側の辺部に対して後側に傾斜して形成された第６切欠部（５６Ｋ）が設けられ、カップ状容器ホルダーが、シート状のブランクにより形成され、カップ状容器ホルダーの組立て状態において、舌片部が保持部本体に対して第１折れ線を介して下方に折り曲げられ、支持部が舌片部に対して第２折れ線を介して後側に折り曲げられ、第１底面部と第２底面部が重ねられて筒状とされるとともに、第１切欠部と第５切欠部とが重なり、第４切欠部と第２切欠部が重なった状態の把持部に対して、一対の差込み片部における左側の差込み片部が、第１切欠部及び第３切欠部に差し込まれ、一対の差込み片部における右側の差込み片部が、第４切欠部及び第６切欠部に差し込まれ、組立て状態のカップ状容器ホルダーの容器配置部にカップ状容器を配置することにより、カップ状容器は容器配置部に支持されるとともに、舌片部がカップ状容器の側面に接することを特徴とする。
【００１０】
第１の構成のカップ状容器ホルダーによれば、支持部が筒状とされた状態で、一対の差込み片部における左側の差込み片部を第１切欠部及び第３切欠部に差し込み、一対の差込み片部における右側の差込み片部を第４切欠部及び第６切欠部に差し込むことにより、カップ状容器ホルダーを組み立てることができるので、カップ状容器ホルダーを容易に組み立てることができる。特に、底面部における開口部と切欠部間の領域が、支持部における一対の差込み片部の間に位置するようにすればよいので、一対の差込み片部の位置合わせが容易となる。
【００１１】
また、第１底面部と第２底面部の上下の位置関係にかかわらず把持部を組み立てることができるので、カップ状容器ホルダーの組立てが容易となる。
【００１２】
また、舌片部は、保持部本体から連設されるとともに、支持部により支持されるので、カップ状容器ホルダーの組立て状態では、舌片部は安定して固定され、また、カップ状容器を容器配置部に支持させた際には、舌片部がカップ状容器の側面に接するので、カップ状容器を安定してカップ状容器ホルダーに保持させることができる。
【００１３】
また、ホルダーを持つには、把持部５０を握ればよいので、カップ状容器を保持した状態で安定して手で持つことができる。
【００１４】
また、把持部は筒状であるので、手で握りやすく、よって、カップ状容器を保持した状態で安定して手で持つことができる。
【００１５】
また、支持部と舌片部と第１底面部及び第２底面部で囲まれた空間にスプーンの柄をカップ状容器ホルダーの側方から挿通して、支持部の上に柄を配置することができる。
【００１６】
また、第２には、上記第１の構成において、支持部が、舌片部から第２折れ線を介して連設された第１支持板（３２）と、第１支持板の第２折れ線側とは反対側の辺部から第３折れ線（Ｃ４、Ｃ４ａ、Ｃ４ｂ）を介して連設された第２支持板（３４）とを有し、該一対の差込み片部は、第２支持板の第１支持板側とは反対側である先端側に設けられ、一対の差込み片部における左側の差込み片部が、第１切欠部及び第３切欠部に差し込まれ、一対の差込み片部における右側の差込み片部が、第４切欠部及び第６切欠部に差し込まれた状態では、第２支持板が、第１支持板に対して上側に折曲した状態となっていることを特徴とする。
【００１７】
第２の構成によれば、第２支持板の第１底面部や第２底面部に対する角度を大きくすることができ、把持部の各切欠部への差込みを容易とすることができる。
【００１８】
また、第３には、上記第１又は第２の構成において、一対の差込み片部における左側の差込み片部が、第１切欠部及び第３切欠部に差し込まれ、一対の差込み片部における右側の差込み片部が、第４切欠部及び第６切欠部に差し込まれた状態では、舌片部が、第１底面部の前側の端部と第２底面部の前側の端部に接することを特徴とする。
【００１９】
第３の構成によれば、カップ状容器ホルダーの組立て状態において、舌片部を安定して固定することができる。また、第１底面部及び第２底面部と舌片部と保持部本体で囲まれた空間にスプーンの柄をカップ状容器ホルダーの側方から挿通して、第１底面部と第２底面部において上側の底面部の上に柄を配置することができる。
【００２０】
また、第４には、上記第１から第３までのいずれかの構成において、舌片部は、第１折れ線を介して連設された舌片部本体（２２）と、舌片部本体の第１折れ線側とは反対側の端部における左右両側から第１折れ線側とは反対側に突出した突状部（２４、２６）を有し、支持部は、舌片部本体の第１折れ線側とは反対側の端部における該突状部が連設されていない辺部から第２折れ線を介して連設され、組立て状態のカップ状容器ホルダーを載置面に載置した際には、該突状部の下端と把持部が載置面に接することを特徴とする。
【００２１】
また、第５には、上記第４の構成において、舌片部には、第１折れ線の左側面側の端部と第２折れ線の左側面側の端部の間に形成された第４折れ線（Ｃ３１）と、第１折れ線の右側面側の端部と第２折れ線の右側面側の端部の間に形成された第５折れ線（Ｃ３２）が形成され、舌片部においては、第４折れ線よりも左側の領域である左構成部（２２４）が第４折れ線と第５折れ線の間の領域である中央構成部（２２２）に対して第４折れ線を介して折曲げ可能であるとともに、第５折れ線よりも右側の領域である右構成部（２２６）が中央構成部（２２２）に対して第５折れ線を介して折曲げ可能であることを特徴とする。
【００２２】
第５の構成によれば、第４折れ線及び第５折れ線を介して舌片部を折り曲げることにより、カップ状容器が左右方向に傾いた場合でも左構成部や右構成部がカップ状容器の側面に接触して、カップ状容器がさらに傾くのを防止することができ、さらには、左構成部と右構成部がカップ状容器の側面に接するように、左構成部と右構成部を中央構成部に対して折り曲げておくことにより、カップ状容器をより安定してカップ状容器ホルダーに保持させることができる。
【００２３】
なお、第５の構成において、「第２折れ線がと第４折れ線と第５折れ線とが直線状に形成されていることを特徴とする。」ものとしてもよい。
【００２４】
また、第６には、上記第５の構成において、第２折れ線が支持部側に膨出した円弧状に形成され、第４折れ線が左構成部側に膨出した円弧状に形成され、第５折れ線が右構成部側に膨出した円弧状に形成されていることを特徴とする。
【００２５】
第６の構成によれば、第２折れ線が円弧状に形成されていることにより、中央構成部自体も湾曲するので、中央構成部がカップ状容器の側面に接した際に、接触面積を大きくすることができ、カップ状容器を安定して保持することができ、また、第４折れ線と第５折れ線が円弧状を呈するので、左構成部と右構成部が中央構成部に対して折れ曲がりやすくすることができる。
【００２６】
また、第７には、上記第５又は第６の構成において、把持部における第１底面部には、第１側面部側とは反対側の辺部における前側の端部から突出した第１アーム部（５９）が連設され、把持部における第２底面部には、第２側面部側とは反対側の辺部における前側の端部から突出した第２アーム部（６１）が連設され、カップ状容器ホルダーの組立て状態において、第１アーム部が、舌片部の右構成部が中央構成部に対して前側に折れ曲がった状態で、右構成部の後側の面に接し、第２アーム部が、舌片部の左構成部が中央構成部に対して前側に折れ曲がった状態で、左構成部の後側の面に接することを特徴とする。
【００２７】
第７の構成によれば、第１アーム部及び第２アーム部により左構成部と右構成部を中央構成部に対して強制的に折り曲げることができるので、左構成部と右構成部をカップ状容器の側面に接触させやすく、カップ状容器ホルダーにカップ状容器を保持させた状態で、中央構成部がカップ状容器の側面に沿った状態で該側面に接するとともに、左構成部と右構成部もカップ状容器の側面に接する状態とすることにより、さらに、カップ状容器を安定してカップ状容器ホルダーに保持させることができる。
【００２８】
また、第８には、上記第１から第３までのいずれかの構成において、舌片部は、第１折れ線から折れ線を介して連設された舌片部本体（２２）と、舌片部本体の第１折れ線側とは反対側の端部における左右両側の辺部を除く部分である中央部分から第１折れ線側とは反対側に突出した突状部（２８）を有し、支持部は、舌片部本体の第１折れ線側とは反対側の端部における左右両側の辺部から第２折れ線を介して連設され、組立て状態のカップ状容器ホルダーを載置面に載置した際には、該突状部の下端と把持部が載置面に接することを特徴とする。
【００２９】
第８の構成によれば、舌片部の左右方向の中心領域が下方まで長く形成されているので、カップ状容器の側面に接する長さを長くすることができ、カップ状容器を安定してカップ状容器ホルダーに保持させることができる。
【００３０】
また、第９には、上記第１から第８までのいずれかの構成において、一対の差込み片部の間に設けられた切欠部は、支持部の先端側に向けて開口した略コ字状の第１辺部と、第１辺部の両側の端部からそれぞれ連設された第２辺部とを有し、一対の第２辺部は、該一対の第２辺部間の距離が支持部の先端側にいくほど長くなるように、テーパ状に形成されていることを特徴とする。
【００３１】
第９の構成によれば、第２辺部がテーパ状に形成されているので、支持板における一対の差込み片部を把持部における切欠部に差し込みやすくすることができる。
【００３２】
また、第１０には、上記第１から第９までのいずれかの構成において、保持部本体における後側の領域には、舌片部に接する第２穴部（１２Ｊ）が設けられ、第１底面部の前側の端部には、第７切欠部（５８Ｍ）が設けられるとともに、第２底面部の前側の端部には、第８切欠部（６０Ｍ）が設けられ、カップ状容器ホルダーの組立て状態において、第７切欠部と第８切欠部が重なることにより、凹状の切欠部（５０Ｍ）が第２穴部の下方に設けられることを特徴とする。
【００３３】
第１０の構成によれば、第２穴部と凹状の切欠き部にスプーンの柄を差し込むことができ、カップ状容器ホルダーにスプーンを保持させることができる。
【００３４】
また、第１１には、上記第１から第９までのいずれかの構成において、保持部の展開状態において、舌片部の後側の端部から第２突状部（４０）が連設され、第２突状部の基端の左右両側に該第１折れ線が設けられ、第２突状部は、第２突状部と保持部本体の境界に形成された切込み（Ｋ４０）を介して保持部本体と隣接し、カップ状容器ホルダーの組立て状態において、保持部本体には第２突状部が起立することによる第２穴部（１２Ｊ）が設けられ、第１底面部の前側の端部には、第７切欠部（５８Ｍ）が設けられるとともに、第２底面部の前側の端部には、第８切欠部（６０Ｍ）が設けられ、カップ状容器ホルダーの組立て状態において、第７切欠部と第８切欠部が重なることにより、凹状の切欠部（５０Ｍ）が第２穴部の下方に設けられることを特徴とする。
【００３５】
第１１の構成によれば、第２穴部と凹状の切欠き部にスプーンの柄を差し込むことができ、カップ状容器ホルダーにスプーンを保持させることができる。
【００３６】
また、第１２には、上記第１から第１１までのいずれかの構成において、把持部は、把持部の展開状態において、前後方向の中心線を介して左右線対称に形成されていることを特徴とする。
【００３７】
第１２の構成によれば、展開状態の把持部が左右線対称なので、展開状態の把持部を見れば、第１底面部と第２底面部の上下の位置関係にかかわらず把持部を組み立てることができる（つまり、第１底面部側から折り曲げる場合と第２底面部側から折り曲げる場合のどちらでもよい）ことが一目で分かり、把持部を組み立てる操作を容易に行なうことができる。
【００３８】
また、第１３として、以下の構成としてもよい。すなわち、「上記第１から第１２までのいずれかの構成において、カップ状容器ホルダーは、展開状態において、前後方向の中心線を介して左右線対称に形成されていることを特徴とする。」としてもよい。
【発明の効果】
【００３９】
本発明に基づくカップ状容器ホルダーによれば、支持部が筒状とされた状態で、一対の差込み片部における左側の差込み片部を第１切欠部及び第３切欠部に差し込み、一対の差込み片部における右側の差込み片部を第４切欠部及び第６切欠部に差し込むことにより、カップ状容器ホルダーを組み立てることができるので、カップ状容器ホルダーを容易に組み立てることができる。特に、底面部における開口部と切欠部間の領域が、支持部における一対の差込み片部の間に位置するようにすればよいので、一対の差込み片部の位置合わせが容易となる。
【００４０】
また、第１底面部と第２底面部の上下の位置関係にかかわらず把持部を組み立てることができるので、カップ状容器ホルダーの組立てが容易となる。
【００４１】
また、舌片部は、保持部本体から連設されるとともに、支持部により支持されるので、カップ状容器ホルダーの組立て状態では、舌片部は安定して固定され、また、カップ状容器を容器配置部に支持させた際には、舌片部がカップ状容器の側面に接するので、カップ状容器を安定してカップ状容器ホルダーに保持させることができる。
【００４２】
また、ホルダーを持つには、把持部を握ればよいので、カップ状容器を保持した状態で安定して手で持つことができる。
【００４３】
また、把持部は筒状であるので、手で握りやすく、よって、カップ状容器を保持した状態で安定して手で持つことができる。
【図面の簡単な説明】
【００４４】
【図１】カップ状容器ホルダーの上方前方斜視図である（実施例１）。
【図２】カップ状容器ホルダーの下方前方斜視図である（実施例１）。
【図３】カップ状容器ホルダーの下方後方斜視図である（実施例１）。
【図４】カップ状容器ホルダーの底面図である（実施例１）。
【図５】図４のＡ−Ａ断面図である。
【図６】カップ状容器ホルダーの展開図である（実施例１）。
【図７】図６の部分抽出図である。
【図８】図６の部分抽出図である。
【図９】カップ状容器ホルダーの組立て工程を示す底面図である（実施例１）。
【図１０】カップ状容器ホルダーの使用状態を示す断面図である（実施例１）。
【図１１】カップ状容器ホルダーの上方前方斜視図である（実施例２）。
【図１２】カップ状容器ホルダーの下方前方斜視図である（実施例２）。
【図１３】カップ状容器ホルダーの下方後方斜視図である（実施例２）。
【図１４】カップ状容器ホルダーの展開図である（実施例２）。
【図１５】カップ状容器ホルダーの上方前方斜視図である（実施例３）。
【図１６】カップ状容器ホルダーの下方前方斜視図である（実施例３）。
【図１７】カップ状容器ホルダーの下方後方斜視図である（実施例３）。
【図１８】カップ状容器ホルダーの底面図である（実施例３）。
【図１９】図１８のＢ−Ｂ断面図である。
【図２０】カップ状容器ホルダーの展開図である（実施例３）。
【図２１】図２０の部分抽出図である。
【図２２】カップ状容器ホルダーの使用状態を示す断面図である（実施例３）。
【図２３】カップ状容器ホルダーの上方前方斜視図である（実施例４）。
【図２４】カップ状容器ホルダーの下方前方斜視図である（実施例４）。
【図２５】カップ状容器ホルダーの下方後方斜視図である（実施例４）。
【図２６】カップ状容器ホルダーの底面図である（実施例４）。
【図２７】図２６のＣ−Ｃ断面図である。
【図２８】カップ状容器ホルダーの展開図である（実施例４）。
【図２９】図２８の部分抽出図である。
【図３０】図２８の部分抽出図である。
【図３１】カップ状容器ホルダーの使用状態を示す断面図である（実施例４）。
【発明を実施するための形態】
【００４５】
本発明においては、カップ状容器を保持するホルダーであって、組立てが容易であり、カップ状容器を安定して保持することができ、さらには、カップ状容器を保持した状態で安定して手で持つことができるホルダーを提供するという目的を以下のようにして実現した。
【実施例１】
【００４６】
実施例１のカップ状容器ホルダー（以下単に「ホルダー」とする）について、図１〜図１０を使用して説明する。ホルダー５は、カップ状容器を保持するための保持部１０と、保持部１０から連設された把持部５０とを有している。このホルダー５は、全体に１枚のシート状のブランク（具体的には、段ボール製（例えば、薄型段ボール製）のブランクであり、厚紙製のブランク等の他の紙製のブランクでもよい）により形成されている。つまり、ホルダー５は、段ボール材（特に、両面段ボール材）等の紙製のホルダーである。段ボールにおける断面略波形形状の中芯の段の方向は、図６における円内に示す方向となっていて、折れ線Ｃ３、Ｃ４に対して直角となっている（なお、段ボールにおける中芯の段の方向はこれには限られない）。
【００４７】
ここで、保持部１０は、カップ状容器を配置するための保持部本体１２と、保持部本体１２から連設された舌片部２０と、舌片部２０から連設され、舌片部２０を支持するための支持部３０とを有している。
【００４８】
保持部本体１２は、開口部を形成した板状を呈し、リング状を呈している。すなわち、保持部本体１２の外側辺（外周辺としてもよい）は、半円状（略半円状としてもよい）の辺部１３ａと、辺部１３ａの左側面側（Ｘ１側）の後側の端部から連設され、前後方向に直線状に形成された辺部１３ｂと、辺部１３ａの右側面側（Ｘ２側）の後側の端部から連設され、前後方向に（つまり辺部１３ｂと平行に）直線状に形成された辺部１３ｃと、辺部１３ｂの後側の端部から連設され、円弧状（略円弧状としてもよい）に形成された辺部１３ｄと、辺部１３ｃの後側の端部から連設され、円弧状（略円弧状としてもよい）に形成された辺部１３ｅと、辺部１３ｄの後端から左右方向における中心側（Ｙ１−Ｙ２方向を向いた中心線Ｗ側）に向けて前側に傾斜した直線状の辺部１３ｆと、辺部１３ｅの後端から左右方向における中心側（Ｙ１−Ｙ２方向を向いた中心線Ｗ側）に向けて前側に傾斜した直線状の辺部１３ｇとを有している。なお、該中心線Ｗは、左右方向（折れ線Ｃ３や折れ線Ｃ４の方向）に対して直角方向（つまり、前後方向（Ｙ１−Ｙ２方向））の直線で、ホルダー５の左右方向における中心位置を通る直線であり、該中心線Ｗは、例えば、折れ線Ｃ３とは、折れ線Ｃ３の左端及び右端から等距離の点で交わり、折れ線Ｃ１の左端及び折れ線Ｃ２の右端から等距離の点を通り（例えば、折れ線Ｃ１の左端と折れ線Ｃ２の右端とを結ぶ直線とは、折れ線Ｃ１の左端及び折れ線Ｃ２の右端から等距離の点で交わる）、折れ線Ｃ５の前端及び折れ線Ｃ６の前端から等距離の点を通り（例えば、折れ線Ｃ５の前端及び折れ線Ｃ６の前端とを結ぶ直線とは、折れ線Ｃ５の前端及び折れ線Ｃ６の前端から等距離の点で交わる）、折れ線Ｃ５の後端及び折れ線Ｃ６の後端から等距離の点を通る（例えば、折れ線Ｃ５の後端と折れ線Ｃ６の後端を結ぶ直線とは、折れ線Ｃ５の後端及び折れ線Ｃ６の後端から等距離の点で交わる）。
【００４９】
つまり、辺部１３ｆは、辺部１３ｄ側から辺部１３ｄ側と反対側にいくに従い（つまり、ホルダー５の左右方向の中心側にいくに従い）前側（Ｙ２側）となるように左右方向（Ｘ１−Ｘ２方向）に対して傾斜して形成され、辺部１３ｇは、辺部１３ｅ側から辺部１３ｅ側と反対側にいくに従い（つまり、ホルダー５の左右方向の中心側にいくに従い）前側（Ｙ２側）となるように左右方向（Ｘ１−Ｘ２方向）に対して傾斜して形成されている。保持部本体１２の外周辺は、左右線対称に形成されている。つまり、折れ線Ｃ３や折れ線Ｃ４に対して直角方向の中心線で、折れ線Ｃ３、Ｃ４の方向における中心位置を通る中心線Ｗ（つまり、前後方向（Ｙ１−Ｙ２方向）の中心線）を介して左右線対称に形成されている。
【００５０】
また、保持部本体１２の内側辺（内周辺としてもよい）は、円弧状を呈する辺部１４ａと、辺部１４ａの左側面側の後側の端部から連設され、直線状に形成された辺部１４ｂと、辺部１４ａの右側面側の後側の端部から連設され、直線状に形成された辺部１４ｃと、辺部１４ｂの後側の端部と辺部１４ｃの後側の端部を結ぶ辺部１４ｄとを有している。なお、辺部１４ｄは、折れ線（第１折れ線）Ｃ１に沿った辺部１４ｄ−１と、折れ線（第２折れ線）Ｃ２に沿った辺部１４ｄ−２とを有している。辺部１４ｄ−１と辺部１４ｄ−２は同一直線上に形成されている。
【００５１】
保持部本体１２の内側辺が上記のように形成されているので、舌片部２０が保持部本体１２に対して折れ線Ｃ１、Ｃ２に対して折曲することにより、保持部本体１２の内側に略円形状の開口部が形成される。
【００５２】
また、舌片部（垂片部、垂下片部としてもよい）２０は、保持部本体１２の内側の辺部における辺部１４ｄ−１、１４ｄ−２から折れ線Ｃ１、Ｃ２を介して連設され、舌片部２０は、折れ線Ｃ１、Ｃ２（及び折れ線Ｃ１と折れ線Ｃ２間の直線）に沿った辺部２０ａと、辺部２０ａの左側面側の端部から連設され、略円弧状に形成された辺部２０ｂと、辺部２０ａの右側面側の端部から連設され、略円弧状に形成された辺部２０ｃと、辺部２０ｂの前側の端部から連設され、左右方向に直線状に形成された辺部２０ｄと、辺部２０ｄの右側面側の端部から連設され、後側に向けて直線状に形成された辺部２０ｅと、辺部２０ｃの前側の端部から連設され、左右方向に直線状に形成された辺部２０ｆと、辺部２０ｆの左側面側の端部から連設され、後側に向けて直線状に形成された辺部２０ｇと、辺部２０ｅの後側の端部と辺部２０ｇの後側の端部を結び、左右方向に直線状に形成された辺部２０ｈとを有している。ここで、辺部２０ｅと辺部２０ｇは、後側にいくほどホルダー５の左右方向における中心側にいくように左右方向に対して傾斜して形成されている。なお、辺部２０ａの長さ（折れ線Ｃ１の左側面側の端部から折れ線Ｃ２の右側面側の端部までの長さ）は、折れ線Ｃ３の長さと略同一であり、折れ線Ｃ１の左側面側の端部の左右方向の位置と折れ線Ｃ３の左側面側の端部の左右方向の位置は略同一であり、折れ線Ｃ２の右側面側の端部の左右方向の位置と折れ線Ｃ３の右側面側の端部の左右方向の位置は略同一である。折れ線Ｃ１、Ｃ２はともに直線状を呈し、折れ線Ｃ１と折れ線Ｃ２とは同一直線上に形成されている。
【００５３】
舌片部２０は、上記のように形成されているので、保持部本体１２から折れ線Ｃ１、Ｃ２を介して連設された舌片部本体２２と、舌片部本体２２の先端から突出して形成された突状部２４、２６とを有している。突状部２４、２６は、辺部２０ｈよりも前側の部分となり、組み立てた状態のホルダー５を載置する際に、突状部２４、２６が脚部として機能する。
【００５４】
舌片部２０は、ホルダー５の組立て状態において、保持部本体１２から下方に垂れ下がった舌状を呈する。
【００５５】
また、支持部３０は、舌片部２０から折れ線（第２折れ線）Ｃ３を介して連設されていて、支持板３２と、支持板３４とを有している。折れ線Ｃ３は直線状に形成されている。
【００５６】
ここで、支持板（第１支持板）３２は、舌片部２０から折れ線Ｃ３を介して連設され、略台形形状を呈している。つまり、支持板３２は、折れ線Ｃ３に沿った辺部と、舌片部２０の辺部２０ｅの一部に沿った辺部と、舌片部２０の辺部２０ｇの一部に沿った辺部と折れ線Ｃ４に沿った辺部とを有している。
【００５７】
また、支持板３４は、支持板３２の折れ線Ｃ３とは反対側の辺部から折れ線（第３折れ線）Ｃ４を介して連設され、先端側に切欠部３４Ｋが形成された形状を有している。折れ線Ｃ４は直線状に形成されている。
【００５８】
すなわち、切欠部３４Ｋは、折れ線Ｃ４と平行な直線状の辺部３４ａと、辺部３４ａの左側面側の端部から連設され、辺部３４ａに対して直角の直線状の辺部３４ｂと、辺部３４ａの右側面側の端部から連設され、辺部３４ａに対して直角の直線状の辺部３４ｃと、辺部３４ｂの辺部３４ａ側とは反対側の端部から連設され、左右方向に対して傾斜して形成された直線状の辺部３４ｄと、辺部３４ｃの辺部３４ａ側とは反対側の端部から連設され、左右方向に対して傾斜して形成された直線状の辺部３４ｅとにより形成されている。ここで、辺部３４ｄと辺部３４ｅは、前側（切欠部３４Ｋの開口側）にいくに従い、辺部３４ｄと辺部３４ｅ間の距離が長くなるようにテーパ状に形成されている（つまり、辺部３４ｂと辺部３４ｄは、１８０度よりも大きい角度（具体的には、１３５度をなし、辺部３４ｃと辺部３４ｅは、１８０度よりも大きい角度（具体的には、１３５度をなしている））。このように、辺部３４ｄ、３４ｅがテーパ状に形成されているので、支持板３４の差込み片部３５、３６を把持部５０の開口部７０、７２に差込みやすくなっている。
【００５９】
つまり、辺部３４ａ、３４ｂ、３４ｃにより「支持部３０の先端側に向けて開口した略コ字状の第１辺部」が形成され、辺部３４ｄ、３４ｅが「第１辺部の両側の端部からそれぞれ連設された第２辺部」となる。
【００６０】
また、支持板（第２支持板）３４は、辺部３４ｄから連設され、辺部１４ａの一部に沿って形成された円弧状の辺部３４ｆと、辺部３４ｅから連設され、辺部１４ｄの一部に沿って形成された円弧状の辺部３４ｇと、辺部３４ｆの後側の端部から連設され、辺部２０ｄ、２０ｅに沿って形成された辺部と、辺部３４ｇの後側の端部から連設され、辺部２０ｆ、２０ｇに沿って形成された辺部と、折れ線Ｃ４に沿った辺部とを有している。
【００６１】
また、支持板３４は、舌片部２０とは反対側（ホルダー５の展開状態における前側）に差込み片部３５、３６を有している。つまり、差込み片部３５、３６は、支持部３４における辺部３４ａよりも前側の部分であり、差込み片部３５は、辺部３４ｂと辺部３４ｄと辺部３４ｆにより構成され、差込み片部３６は、辺部３４ｃと辺部３４ｅと辺部３４ｇにより構成される。また、支持部３４における差込み片部３５、３６以外の領域（つまり、差込み片部３５、３６よりも後側の領域）が支持部本体３７となる。
【００６２】
なお、ホルダー５においては、展開状態（シート状のブランクの状態）（図６〜図８参照）において、保持部本体１２と舌片部２０とは、保持部本体１２の内側辺を構成する辺部１４ａ、１４ｂに沿って形成された切込みＫ１０と辺部１４ａ、１４ｃに沿って形成された切込みＫ１１を介して隣接し、保持部本体１２と支持部３０とは、切込みＫ１０と切込みＫ１１を介して隣接し、舌片部２０と支持部３０とは、切込みＫ２０、Ｋ２１を介して隣接している。これらの切込みは連続した切込みとしての切目線により形成されているが、間隔を介して形成された複数の切込みとしての切目線（例えば、ミシン目状の切目線）により形成してもよい。
【００６３】
ホルダー５の組立て状態、すなわち、支持板３４の差込み片部３５、３６を開口部７０、７２に差し込んでホルダー５を組み立てた状態では、把持部５０に固定された支持部３０が舌片部２０を支持した状態となり、舌片部２０は、保持部本体１２に対して下方に垂下した状態で、保持部本体１２と支持部３０により支持される。
【００６４】
また、突状部（第２突状部）４０は、舌片部２０の辺部１４ｄから突出して形成され、略横長長方形状を呈している。すなわち、ホルダー５の展開状態において、突状部４０は、突状部４０と保持部本体１２の境界に形成された略コ字状の切込みＫ４０を介して保持部本体１２と隣接している。なお、突状部４０の基端の左右両側に折れ線Ｃ１、Ｃ２が設けられている。ホルダー５の組立て状態では、突状部４０が保持部本体１２に対して立設して、保持部本体１２には容器配置部としての穴部１２Ｋが形成される（図１、図５参照）。なお、切込みＫ４０は連続した切込みとしての切目線により形成されているが、間隔を介して形成された複数の切込みとしての切目線（例えば、ミシン目状の切目線）により形成してもよい。
【００６５】
また、把持部５０は、保持部本体１２の後側の端部から連設された上面部５２と、上面部５２の左側面側の辺部５２ａから折れ線Ｃ５を介して連設された側面部５４と、上面部５２の右側面側の辺部５２ｂから折れ線Ｃ６を介して連設された側面部５６と、側面部５４の上面部５２とは反対側の辺部から折れ線Ｃ７を介して連設された底面部５８と、側面部５６の上面部５２とは反対側の辺部から折れ線Ｃ８を介して連設された底面部６０とを有している。
【００６６】
ここで、上面部５２は、前後方向に細長の形状を呈し、保持部本体１２側から後側の端部側に向けて左右方向の幅が小さくなるように形成されている。つまり、上面部５２の左右両側の辺部５２ａ、５２ｂはテーパ状を呈している。なお、辺部５２ａ、５２ｂは直線状を呈している。この上面部５２の後側の端部領域には、円形の穴部７４が形成され、紐状部材をループ状にして取り付けることができるようになっている。
【００６７】
また、側面部（第１側面部）５４においては、折れ線Ｃ５に沿った直線状の辺部５４ａと折れ線Ｃ７に沿った直線状の辺部５４ｂとが平行に形成され、側面部５４の前側の辺部５４ｃは、保持部本体１２の辺部１３ｄ、１３ｆに沿って形成された切込みＫ５０を介して、保持部本体１２と隣接しており、側面部５４の後側の辺部５４ｄは、略円弧状に形成されている。
【００６８】
また、側面部（第２側面部）５６においては、折れ線Ｃ６に沿った直線状の辺部５６ａと折れ線Ｃ８に沿った直線状の辺部５６ｂとが平行に形成され、側面部５６の前側の辺部５６ｃは、保持部本体１２の辺部１３ｅ、１３ｇに沿って形成された切込みＫ５１を介して、保持部本体１２と隣接しており、側面部５６の後側の辺部５６ｄは、略円弧状に形成されている。
【００６９】
また、底面部（第１底面部）５８においては、折れ線Ｃ７に沿った直線状の辺部５８ａと該辺部の反対側の辺部５８ｂ１、５８ｂ２とが上面部５２の辺部５２ａ、５２ｂに合わせてテーパ状に形成され、辺部５８ａと辺部５８ｂ１間の角度は辺部５２ａ、５２ｂ間の角度と同一（略同一としてもよい）に形成され、前後方向における同じ位置における左右方向（把持部５０の組立て状態における左右方向）の幅は同一（略同一としてもよい）に形成され、例えば、長さＬ１は長さＬ２と同一（略同一としてもよい）に形成されている（長さＬ１とＬ２は、折れ線Ｃ５、Ｃ７に対する直角な直線との接点の位置における左右方向の幅である）。なお、辺部５８ａと反対側の辺部は、切欠部５８Ｌよりも後側の直線状の辺部５８ｂ１と切欠部５８Ｌよりも前側の直線状の辺部５８ｂ２により構成され、辺部５８ｂ２の方向は、辺部５８ｂ１の方向に対して前側にいくほど内側となるように傾斜している（つまり、辺部５８ｂ２の後側の端部は、辺部５８ｂ１の延長線上にあるが、辺部５８ｂ２は、前側にいくほど、辺部５８ｂ１の延長線までの距離が長くなるように傾斜している）。また、底面部５８の前側の辺部５８ｃにおける側面部５４側には、切欠部（第７切欠部）５８Ｍが形成されている。切欠部５８Ｍは、把持部５０の組立て状態において左右方向となる辺部５８ｃ−１と、辺部５８ｃ−１の左側面側の端部（展開状態において左側面側の端部）から形成された辺部５８ｃ−２により形成され、辺部５８ｃ−１と辺部５８ｃ−２は鈍角に形成されている。
【００７０】
なお、底面部５８の前側の端部を構成する辺部５８ｃ−３は、切欠部５８Ｍよりも前側に突出した位置にある。
【００７１】
また、底面部５８における辺部５８ａの前側の端部と辺部５８ｃの側面部５４側の端部間の辺部５８ｄは、略円弧状に形成され、辺部５８ｄは、切込みＫ５０を介して保持部本体１２と隣接している。
【００７２】
また、底面部（第２底面部）６０は、把持部５０の展開状態において、底面部５８と左右線対称に形成され、底面部６０においては、折れ線Ｃ８に沿った直線状の辺部６０ａと該辺部の反対側の辺部６０ｂ１、６０ｂ２とが上面部５２の辺部５２ａ、５２ｂに合わせてテーパ状に形成され、辺部６０ａと辺部６０ｂ１間の角度は辺部５２ａ、５２ｂ間の角度と同一（略同一としてもよい）に形成され、前後方向における同じ位置における左右方向（把持部５０の組立て状態における左右方向）の幅は同一（略同一としてもよい）に形成され、例えば、長さＬ１は長さＬ３と同一（略同一としてもよい）に形成されている（長さＬ１とＬ３は、折れ線Ｃ６、Ｃ８に対する直角な直線との接点の位置における左右方向の幅である）。なお、辺部６０ａと反対側の辺部は、切欠部６０Ｌよりも後側の直線状の辺部６０ｂ１と切欠部６０Ｌよりも前側の直線状の辺部６０ｂ２により構成され、辺部６０ｂ２の方向は、辺部６０ｂ１の方向に対して前側にいくほど内側となるように傾斜している（つまり、辺部６０ｂ２の後側の端部は、辺部６０ｂ１の延長線上にあるが、辺部６０ｂ２は、前側にいくほど、辺部６０ｂ１の延長線までの距離が長くなるように傾斜している）。また、底面部６０の前側の辺部６０ｃにおける側面部５６側には、切欠部（第８切欠部）６０Ｍが形成されている。切欠部６０Ｍは、把持部５０の組立て状態において左右方向となる辺部６０ｃ−１と、辺部６０ｃ−１の左側面側の端部（展開状態において左側面側の端部）から形成された辺部６０ｃ−２により形成され、辺部６０ｃ−１と辺部６０ｃ−２は鈍角に形成されている。
【００７３】
なお、底面部６０の前側の端部を構成する辺部６０ｃ−３は、切欠部６０Ｍよりも前側に突出した位置にある。
【００７４】
また、底面部６０における辺部６０ａの前側の端部と辺部６０ｃの側面部５６側の端部間の辺部６０ｄは、略円弧状に形成され、辺部６０ｄは、切込みＫ５１を介して保持部本体１２と隣接している。
【００７５】
把持部５０において、折れ線Ｃ５、Ｃ６、Ｃ７、Ｃ８は直線状に形成されている。
【００７６】
なお、切込みＫ５０、Ｋ５１は連続した切込みとしての切目線により形成されているが、間隔を介して形成された複数の切込みとしての切目線（例えば、ミシン目状の切目線）により形成してもよい。
【００７７】
この切欠部５８Ｍと切欠部６０Ｍが重なることにより、把持部５０を組み立てた際にスプーンの柄等を差し込むための凹状の切欠部５０Ｍが形成される（図９参照）。
【００７８】
また、把持部５０には、支持板３４の差込み片部３５、３６を差し込むための開口部７０、７２と切欠部５８Ｌ、６０Ｌが形成されている。
【００７９】
すなわち、開口部７０は、底面部５８に形成された切欠部（第１切欠部）５８Ｋと、側面部５４に形成され切欠部５８Ｋから連設された切欠部（第３切欠部）５４Ｋとを有し、把持部５０の展開状態においては、切欠部５８Ｋと切欠部５４Ｋは鈍角を形成している（例えば、切欠部５８Ｋの中心線（辺部５８Ｋａ及び辺部５８Ｋｂと等距離で辺部５８Ｋａ、５８Ｋｂの直線部分と平行な直線）と切欠部５４Ｋの中心線（辺部５４Ｋａ及び辺部５４Ｋｂと等距離で辺部５４Ｋａ、５４Ｋｂと平行な直線）は鈍角を形成している。）。
【００８０】
切欠部５８Ｋは、折れ線Ｃ７に対して直角方向に略直線状に形成され、切欠部５８Ｋは、折れ線Ｃ７に対して直角方向の直線部分を有するとともに折れ線Ｃ７側の端部が後側に湾曲した辺部５８Ｋａと、折れ線Ｃ７に対して直角方向の直線部分を有するとともに折れ線Ｃ７側の端部が後側に湾曲した辺部５８Ｋｂと、辺部５８Ｋａの端部と辺部５８Ｋｂの端部を結ぶ辺部５８Ｋｃにより略コ字状に形成されている。なお、辺部５８Ｋａの直線部分と辺部５８Ｋｂの直線部分は互いに平行（略平行としてもよい）となっている。
【００８１】
また、切欠部５４Ｋは、底面部５８から離れるほど（つまり、底面部５８側とは反対側にいくほど）後側となるように折れ線Ｃ７の方向に対して傾斜して形成され、切欠部５４Ｋは、折れ線Ｃ７の方向に対して折れ線Ｃ７から離れるほど後側となるように傾斜した直線部分を有するとともに折れ線Ｃ７側の端部が折れ線Ｃ７に対する直角方向に向けて湾曲した辺部５４Ｋａと、折れ線Ｃ７の方向に対して折れ線Ｃ７から離れるほど後側となるように傾斜した直線部分を有するとともに折れ線Ｃ７側の端部が折れ線Ｃ７に対する直角方向に向けて湾曲した辺部５４Ｋｂと、辺部５４Ｋａの端部と辺部５４Ｋｂの端部を結ぶ辺部５４Ｋｃにより略コ字状に形成されている。なお、辺部５４Ｋａの直線部分と辺部５４Ｋｂの直線部分は互いに平行（略平行としてもよい）となっており、辺部５４Ｋａの切欠部５８Ｋ側の端部は、辺部５８Ｋａに接続され、辺部５４Ｋｂの切欠部５８Ｋ側の端部は、辺部５８Ｋｂに接続されている。
【００８２】
なお、切欠部５８Ｋの幅（辺部５８Ｋｃの長さとしてもよい）と切欠部５４Ｋの幅（辺部５４Ｋｃの長さとしてもよい）は、支持板３４の差込み片部３５を差込み可能な長さに形成されている。
【００８３】
また、切欠部（第２切欠部）５８Ｌは、底面部５８の辺部５８ｂ１、５８ｂ２から形成され、辺部５８ｂ１に対して平行な直線状の辺部５８Ｌａと、辺部５８Ｌａの後側の端部から連設され、辺部５８ｂ１の方向に対して直角の直線状の辺部５８Ｌｂと、辺部５８Ｌａの前側の端部から連設され、辺部５８ｂ１の方向に対して直角の直線状の辺部５８Ｌｃと、辺部５８Ｌｂの辺部５８Ｌａ側とは反対側の端部から連設され、辺部５８Ｌｂの方向に対して傾斜した直線状の辺部５８Ｌｄと、辺部５８Ｌｃの辺部５８Ｌａ側とは反対側の端部から連設され、辺部５８Ｌｃの方向に対して傾斜した直線状の辺部５８Ｌｅとにより形成されている。
【００８４】
ここで、辺部５８Ｌｄと辺部５８Ｌｅは、切欠部５８Ｌの開口側にいくに従い、辺部５８Ｌｄと辺部５８Ｌｅ間の距離が長くなるようにテーパ状に形成されている（つまり、辺部５８Ｌｂと辺部５８Ｌｄは、１８０度よりも大きい角度（具体的には、１３５度をなし、辺部５８Ｌｃと辺部５８Ｌｅは、１８０度よりも大きい角度（具体的には、１３５度をなしている））。このように、辺部５８Ｌｄ、５８Ｌｅがテーパ状に形成されているので、支持板３４の差込み片部３６を把持部５０の開口部７２に差込みやすくなっている。
【００８５】
また、辺部５８Ｌｂと辺部５８Ｌｃ間の長さは、切欠部６０Ｋにおける辺部６０Ｋａと辺部６０Ｋｂ間の長さよりも若干長く形成されていて、差込み片部３６を開口部７２に差し込む際に、辺部５８Ｌｂ、５８Ｌｃが邪魔になることがない。
【００８６】
なお、切欠部５８Ｌは、把持部５０を組み立てた際に、切欠部６０Ｋと重なる位置に形成されている。つまり、把持部５０を組み立てた際には、辺部５８Ｌｂは辺部６０Ｋｂに沿った状態となり、辺部５８Ｌｃは辺部６０Ｋａに沿った状態となり、辺部５８Ｌａは辺部６０Ｋｃに沿った状態となる。その際、辺部５８Ｌｂは辺部６０Ｋｂの外側に位置し（辺部６０Ｋｂと重なる位置でもよい）、辺部５８Ｌｃは辺部６０Ｋａに重なる位置にあり（辺部６０Ｋａの外側に位置してもよい）、辺部５８Ｌａは辺部６０Ｋｃの外側に位置していて（辺部６０Ｋｃに一致する位置でもよい）、底面部５８が切欠部６０Ｋの一部をカバーすることがなく、差込み片部３６の差込みに支障がない。なお、差込み片部３６の差込みに支障がないならば、底面部５８が切欠部６０Ｋの一部をカバーする構成でもよい。
【００８７】
また、切欠部５８Ｋの長さ（折れ線Ｃ７に対する直角方向の長さ）（辺部５８Ｋｃから折れ線Ｃ７の位置（開口部７０における折れ線Ｃ７の延長線）までの長さ）Ｌ４は、切欠部５８Ｌの長さ（辺部５８ｂ１に対する直角方向の長さ）（辺部５８Ｌａから切欠部５８Ｌの開口端における辺部５８ｂ１の延長線までの長さ）Ｌ５と同一（略同一としてもよい）に形成され、切欠部５８Ｋと切欠部５８Ｌ間の長さ（特に、切欠部５８Ｋと切欠部５８Ｌ間の最大長さ（切欠部５８Ｋにおける辺部５８Ｋａと辺部５８Ｋｃの角部と切欠部５８Ｌにおける辺部５８Ｌａと辺部５８Ｌｃの角部間の長さ）は、支持板３４の切欠部３４Ｋの辺部３４ｂと辺部３４ｃ間の長さＬ１０よりも短く形成され、差込み片部３５、３６を開口部７０、７２に差し込むことができるようになっている。
【００８８】
また、開口部７２は、底面部６０に形成された切欠部（第４切欠部）６０Ｋと、側面部５６に形成され切欠部６０Ｋから連設された切欠部（第６切欠部）５６Ｋとを有し、把持部５０の展開状態においては、切欠部６０Ｋと切欠部５６Ｋは鈍角を形成している（例えば、切欠部６０Ｋの中心線（辺部６０Ｋａ及び辺部６０Ｋｂと等距離で辺部６０Ｋａ、６０Ｋｂの直線部分と平行な直線）と切欠部５６Ｋの中心線（辺部５６Ｋａ及び辺部５６Ｋｂと等距離で辺部５６Ｋａ、５６Ｋｂと平行な直線）は鈍角を形成している。）。
【００８９】
切欠部６０Ｋは、折れ線Ｃ８に対して直角方向に略直線状に形成され、切欠部５６Ｋは、底面部６０から離れるほど（つまり、底面部６０側とは反対側にいくほど）後側となるように折れ線Ｃ８の方向に対して傾斜して形成されている。
【００９０】
切欠部６０Ｋは、把持部５０の展開状態において、切欠部５８Ｋと前後方向の中心線Ｗを介して左右線対称に形成されている以外は同一の構成であり、切欠部５６Ｋは、切欠部５４Ｋと前後方向の中心線Ｗを介して左右線対称に形成されている以外は同一の構成である。
【００９１】
すなわち、切欠部６０Ｋは、折れ線Ｃ８に対して直角方向の直線部分を有するとともに折れ線Ｃ８側の端部が後側に湾曲した辺部６０Ｋａと、折れ線Ｃ８に対して直角方向の直線部分を有するとともに折れ線Ｃ８側の端部が後側に湾曲した辺部６０Ｋｂと、辺部６０Ｋａの端部と辺部６０Ｋｂの端部を結ぶ辺部６０Ｋｃにより略コ字状に形成されている。なお、辺部６０Ｋａの直線部分と辺部６０Ｋｂの直線部分は互いに平行（略平行としてもよい）となっている。
【００９２】
また、切欠部５６Ｋは、把持部５０の展開状態において、切欠部５４Ｋと前後方向の中心線Ｗを介して左右線対称に形成されている以外は同一の構成であり、切欠部５６Ｋは、底面部６０から離れるほど（つまり、底面部６０側とは反対側にいくほど）後側となるように折れ線Ｃ８の方向に対して傾斜して形成され、切欠部５６Ｋは、折れ線Ｃ８の方向に対して折れ線Ｃ８から離れるほど後側となるように傾斜した直線部分を有するとともに折れ線Ｃ８側の端部が折れ線Ｃ８に対する直角方向に向けて湾曲した辺部５６Ｋａと、折れ線Ｃ８の方向に対して折れ線Ｃ８から離れるほど後側となるように傾斜した直線部分を有するとともに折れ線Ｃ８側の端部が折れ線Ｃ８に対する直角方向に向けて湾曲した辺部５６Ｋｂと、辺部５６Ｋａの端部と辺部５６Ｋｂの端部を結ぶ辺部５６Ｋｃにより略コ字状に形成されている。なお、辺部５６Ｋａの直線部分と辺部５６Ｋｂの直線部分は互いに平行（略平行としてもよい）となっており、辺部５６Ｋａの切欠部６０Ｋ側の端部は、辺部６０Ｋａに接続され、辺部５６Ｋｂの切欠部６０Ｋ側の端部は、辺部６０Ｋｂに接続されている。
【００９３】
なお、切欠部６０Ｋの幅（辺部６０Ｋｃの長さとしてもよい）と切欠部５６Ｋの幅（辺部５６Ｋｃの長さとしてもよい）は、支持板３４の差込み片部３６を差込み可能な長さに形成されている。
【００９４】
また、切欠部（第５切欠部）６０Ｌは、把持部５０の展開状態において、切欠部５８Ｌと前後方向の中心線Ｗを介して左右線対称に形成されている以外は同一の構成であり、切欠部６０Ｌは、底面部６０の辺部６０ｂ１、６０ｂ２から形成され、辺部６０ｂ１に対して平行な直線状の辺部６０Ｌａと、辺部６０Ｌａの後側の端部から連設され、辺部６０ｂ１の方向に対して直角の直線状の辺部６０Ｌｂと、辺部６０Ｌａの前側の端部から連設され、辺部６０ｂ１の方向に対して直角の直線状の辺部６０Ｌｃと、辺部６０Ｌｂの辺部６０Ｌａ側とは反対側の端部から連設され、辺部６０Ｌｂの方向に対して傾斜した直線状の辺部６０Ｌｄと、辺部６０Ｌｃの辺部６０Ｌａ側とは反対側の端部から連設され、辺部６０Ｌｃの方向に対して傾斜した直線状の辺部６０Ｌｅとにより形成されている。
【００９５】
ここで、辺部６０Ｌｄと辺部６０Ｌｅは、切欠部６０Ｌの開口側にいくに従い、辺部６０Ｌｄと辺部６０Ｌｅ間の距離が長くなるようにテーパ状に形成されている（つまり、辺部６０Ｌｂと辺部６０Ｌｄは、１８０度よりも大きい角度（具体的には、１３５度をなし、辺部６０Ｌｃと辺部６０Ｌｅは、１８０度よりも大きい角度（具体的には、１３５度をなしている））。このように、辺部６０Ｌｄ、６０Ｌｅがテーパ状に形成されているので、支持板３４の差込み片部３５を把持部５０の開口部７０に差込みやすくなっている。
【００９６】
また、辺部６０Ｌｂと辺部６０Ｌｃ間の長さは、切欠部５８Ｋにおける辺部５８Ｋａと辺部５８Ｋｂ間の長さよりも若干長く形成されていて、差込み片部３５を開口部７０に差し込む際に、辺部６０Ｌｂ、６０Ｌｃが邪魔になることがない。
【００９７】
なお、切欠部６０Ｌは、把持部５０を組み立てた際に、切欠部５８Ｋと重なる位置に形成されている。つまり、把持部５０を組み立てた際には、辺部６０Ｌｂは辺部５８Ｋｂに沿った状態となり、辺部６０Ｌｃは辺部５８Ｋａに沿った状態となり、辺部６０Ｌａは辺部５８Ｋｃに沿った状態となる。その際、辺部６０Ｌｂは辺部５８Ｋｂの外側に位置し（辺部５８Ｋｂと重なる位置でもよい）、辺部６０Ｌｃは辺部５８Ｋａに重なる位置にあり（辺部５８Ｋａの外側に位置してもよい）、辺部６０Ｌａは辺部５８Ｋｃの外側に位置していて（辺部５８Ｋｃに一致する位置でもよい）、底面部６０が切欠部５８Ｋの一部をカバーすることがなく、差込み片部３５の差込みに支障がない。なお、差込み片部３５の差込みに支障がないならば、底面部６０が切欠部５８Ｋの一部をカバーする構成でもよい。
【００９８】
また、切欠部６０Ｋの長さ（折れ線Ｃ８に対する直角方向の長さ）（辺部６０Ｋｃから折れ線Ｃ８の位置（開口部７２における折れ線Ｃ８の延長線）までの長さ）Ｌ７は、切欠部６０Ｌの長さ（辺部６０ｂ１に対する直角方向の長さ）（辺部６０Ｌａから切欠部６０Ｌの開口端における辺部６０ｂ１の延長線までの長さ）Ｌ８と同一（略同一としてもよい）に形成され、切欠部６０Ｋと切欠部６０Ｌ間の長さ（特に、切欠部６０Ｋと切欠部６０Ｌ間の最大長さ（切欠部６０Ｋにおける辺部６０Ｋａと辺部６０Ｋｃの角部と切欠部６０Ｌにおける辺部６０Ｌａと辺部６０Ｌｃの角部間の長さ）は、支持板３４の切欠部３４Ｋの辺部３４ｂと辺部３４ｃ間の長さＬ１０よりも短く形成され、差込み片部３５、３６を開口部７０、７２に差し込むことができるようになっている。
【００９９】
なお、ホルダー５は、ホルダー５の展開状態において、前後方向の中心線Ｗを介して左右線対称に形成され、保持部１０は、中心線Ｗを介して左右線対称に形成され、把持部５０は中心線Ｗを介して左右線対称に形成されている。
【０１００】
ホルダー５の組立て状態、すなわち、支持板３４の差込み片部３５、３６を開口部７０、７２に差し込んでホルダー５を組み立てた状態では、底面部５８と底面部６０が重なり、底面部５８と底面部６０が上面部５２と平行になり、側面部５４が上面部５２及び底面部５８と直角（略直角としてもよい）になり、側面部５６が上面部５２及び底面部６０と直角（略直角としてもよい）となる。
【０１０１】
また、展開状態のホルダー５において、折れ線Ｃ１、Ｃ２、Ｃ３、Ｃ４、Ｃ５、Ｃ６、Ｃ７、Ｃ８に沿って罫線が形成され、該罫線は、ブランクの底面側から押圧した押罫により形成されている。なお、実施例２〜実施例４における折れ線Ｃ３ａ、Ｃ３ｂ、Ｃ４ａ、Ｃ４ｂ、Ｃ３１、Ｃ３２についても、同様に各折れ線に沿って罫線が形成され、該罫線は、ブランクの底面側から押圧した押罫により形成されている。また、罫線は、折曲げ状態とした際の折れ線の一方の端部から他方の端部にまで形成されているが、罫線の端部と折曲げ状態とした際の折れ線の端部間に間隔を設ける構成としてもよい。例えば、折れ線Ｃ３に沿って形成された罫線は、折れ線Ｃ３と切込みＫ２０ｂの接点から折れ線Ｃ３と切込みＫ２１ｂの接点まで形成されている（つまり、折曲げ状態とした際の折れ線の一方の端部から他方の端部にまで形成されている）が、罫線の左側の端部と切込みＫ２０ｂの端部（折れ線Ｃ３側の端部）の間に間隔が設けられ、罫線の右側の端部と切込みＫ２１ｂの端部（折れ線Ｃ３側の端部）の間に間隔が設けられる構成としてもよい。
【０１０２】
上記構成のホルダー５の使用方法について説明する。まず、把持部５０を筒状に組み立てる。すなわち、側面部５４、５６を上面部５２に対して底面側に折り曲げ（つまり、側面部５４を折れ線Ｃ５を介して折り曲げるとともに、側面部５６を折れ線Ｃ６を介して折り曲げる）、さらに、底面部５８を側面部５４に対して折れ線Ｃ７を介して折り曲げ、底面部６０を側面部５６に対して折れ線Ｃ８を介して折り曲げて、底面部５８と底面部６０とが重なった状態とする。すると、図９に示すように、切欠部５８Ｋが切欠部６０Ｌと重なり、切欠部６０Ｋが切欠部５８Ｌと重なった状態となる。なお、図９では、底面部６０が底面部５８の底面側にある場合を示しているが、底面部６０と底面部５８の位置を逆にして、底面部５８が底面部６０の底面側にあるようにしてもよい。その場合も同様に、切欠部５８Ｋが切欠部６０Ｌと重なり、切欠部６０Ｋが切欠部５８Ｌと重なった状態となる。以上のようにして、把持部５０が上面部５２と側面部５４、５６と底面部５８、６０により筒状に形成される。なお、把持部５０が、把持部５０の展開状態において、前後方向の中心線Ｗを介して左右線対称に形成されている（つまり、把持部５０の展開状態において、上面部５２自体は該中心線Ｗを介して左右線対称に形成され、側面部５４は、該中心線Ｗを介して側面部５６と左右線対称に形成され、底面部５８は、該中心線Ｗを介して底面部６０と左右線対称）に形成されているので、底面部５８と底面部６０とを重なった状態とする際に、底面部５８と底面部６０の上下の位置関係にかかわらず（つまり、底面部５８と底面部６０のどちらを上側にしても）把持部５０は筒状に形成される。
【０１０３】
そして、舌片部２０を保持部本体１２に対して折れ線Ｃ１、Ｃ２を介して下方に回動させるとともに、支持部３０を舌片部２０に対して折れ線Ｃ３を介して後側に回動させることにより、支持板３４の差込み片部３５、３６を把持部５０の切欠部５８Ｋ、６０Ｌ、６０Ｋ、５８Ｌの位置に配置させ、差込み片部３５を開口部７０及び切欠部６０Ｌに差し込むとともに、差込み片部３６を開口部７２及び切欠部５８Ｌに差し込む。すると、舌片部２０の底面側の面が底面部５８の前側の端部である辺部５８ｃ−３と底面部６０の前側の端部である辺部６０ｃ−３に接した位置で、支持部３０が把持部５０に固定されて、図１〜図５に示すようにホルダー５の組立て状態となる。以上のようにして、ホルダー５の組立てを行なう。
【０１０４】
ホルダー５の組立て状態においては、舌片部２０が保持部本体１２から垂下した状態で固定され、舌片部２０は、図５に示すように、保持部本体１２に対して略直角となるが、舌片部２０の下端が上端よりも前側となるように保持部本体１２に対して傾斜した状態となる。
【０１０５】
また、ホルダー５の組立て状態においては、支持部３０は、折れ線Ｃ４を介して折曲した状態となり、支持板３４が、支持板３２に対して上側に折曲した状態となっている（つまり、支持板３２の上面と支持板３４の上面とが１８０度よりも小さい角度（好適には、鈍角）となっている。具体的には、支持板３２は、支持板３２の前側が後側よりも上側となるように水平方向（保持部本体１２の方向）に対して傾斜し、支持板３４は、支持板３４の前側が後側よりも下側となるように水平方向（保持部本体１２の方向）に対して傾斜する。なお、支持部３０に支持板３２が設けられていて、支持板３４が支持板３２に対して上側に折曲した状態で把持部５０に差し込まれるので、支持板３４の底面部５８、６０に対する角度α２（図５参照）を大きくすることができ、把持部５０の切欠部５８Ｋ、５８Ｌ、６０Ｋ、６０Ｌに差し込みやすくすることができる。
【０１０６】
また、ホルダー５の組立て状態においては、保持部本体１２には、カップ状容器を保持するための穴部１２Ｋが形成される。
【０１０７】
なお、組立て状態のホルダー５においては、突状部２４、２６が下方に突出した状態となるので、組立て状態のホルダー５を載置面（平面状の載置面）に載置した際には、突状部２４、２６の下端と把持部５０（特に、把持部５０の底部（つまり、把持部５０の後端の底部（具体的には、底面部５８又は底面部６０の後端）））が載置面に接する。
【０１０８】
ホルダー５の組立てを完了したら、保持部本体１２の穴部１２Ｋにカップ状容器を保持させる（図１０参照）。使用するカップ状容器８０は、図１０に示すように、側面が円錐台形状の側面形状を呈する容器とし、カップ状容器８０の底面８４側の端部の径（直径）Ｌ８０が、穴部１２Ｋの径（直径）Ｌ１２Ｋよりも小さく、カップ状容器８０の上面側の端部の径（直径）Ｌ８１が、穴部１２Ｋの径（直径）Ｌ１２Ｋよりも大きい容器とすることにより、カップ状容器８０の側面８２における上端から下端までの途中位置が穴部１２Ｋに嵌合する。
【０１０９】
なお、ホルダー５にカップ状容器８０を保持させた状態では、舌片部２０がカップ状容器８０の側面８２に沿った状態で該側面８２に接する。つまり、舌片部２０の保持部本体１２に対する傾斜角度α１１（図５参照）とカップ状容器８０の側面の該容器の上面（容器の上端を含む平面としてもよい）に対する傾斜角度α１２（図１０参照）が同一の場合には、当然舌片部２０がカップ状容器８０の側面８２に沿った状態で該側面８２に接するが、該傾斜角度α１２が該傾斜角度α１１よりも小さい場合でも、カップ状容器８０の重みにより保持部本体１２が撓む（保持部本体１２の先端側が下方となるように撓む）ので（図１０参照）、舌片部２０がカップ状容器８０の側面８２に沿った状態で該側面８２に接する。なお、傾斜角度α１２が傾斜角度α１１よりも大きい場合には、舌片部２０がカップ状容器８０の側面８２に沿った状態にならないので、傾斜角度α１２は傾斜角度α１１以下の角度とする。
【０１１０】
また、ホルダー５の組立て状態では、舌片部２０が保持部本体１２に対して垂下するのに伴い突状部４０が起立することにより、保持部本体１２に穴部（第２穴部）１２Ｊ（穴部１２Ｊは舌片部２０に接している）が形成され、把持部５０には、切欠部５０Ｍが形成され、穴部１２Ｊと切欠部５０Ｍは左右方向における中心位置に設けられ、切欠部５０Ｍは穴部１２Ｊの下方（つまり、ほぼ直下であり、厳密には、前後方向において、穴部１２Ｊよりも若干前側）に設けられるので、スプーン９０の柄９２を上方から穴部１２Ｊに挿通し、さらに、切欠部５０Ｍと舌片部２０内の空間に挿通し、柄９２の下端を支持部３０（具体的には、支持板３２）に支持させることにより、スプーン９０を保持することができる。
【０１１１】
また、支持部３０と舌片部２０と底面部５８、６０で囲まれた空間Ｒ１にスプーン９０の柄９２をホルダー５の側方から挿通して、支持部３０の上に柄９２を配置してもよく、また、底面部５８、６０と舌片部２０と保持部本体１２で囲まれた空間Ｒ２にスプーン９０の柄９２をホルダー５の側方から挿通して、底面部５８、６０において上側の底面部の上に柄９２を配置してもよい。
【０１１２】
カップ状容器８０をホルダー５に保持した状態で手で持つには、把持部５０を握ればよく、把持部５０を握った状態でホルダー５に保持されたカップ状容器８０を持ち運ぶことができる。
【０１１３】
以上のように、本実施例のホルダー５によれば、底面部５８と底面部６０とを重ねた状態で、差込み片部３５を開口部７０及び切欠部６０Ｌに差し込むとともに、差込み片部３６を開口部７２及び切欠部５８Ｌに差し込むことによりホルダー５を組み立てることができるので、ホルダー５を容易に組み立てることができる。特に、支持部３０の先端が、差込み片部３５と差込み片部３６とを有する二股形状となっているので、底面部における開口部と切欠部間の領域（底面部６０が底面部５８よりも底面側の場合には、開口部７２と切欠部６０Ｌ間の領域６０−１、底面部５８が底面部６０よりも底面側の場合には、開口部７０と切欠部５８Ｌ間の領域５８−１）が支持板３４の切欠部３４Ｋ内に入るようにすればよく、また、開口部７０、７２には、切欠部５４Ｋ、５６Ｋが設けられているので、差込み片部３５、３６の位置合わせが容易となる。
【０１１４】
また、把持部５０は、展開状態において左右線対称に形成され、底面部５８と底面部６０のいずれを底面側にしてもよいので、その点でもホルダー５の組立てが容易となる。また、把持部５０は、展開状態において左右線対称に形成されているので、展開状態の把持部５０を見れば、底面部５８側から折り曲げる場合と底面部６０側から折り曲げる場合のどちらでもよいことが一目で分かり、把持部を組み立てる操作を容易に行なうことができる。
【０１１５】
また、舌片部２０は、保持部本体１２から連設されるとともに、支持部３０により支持されるので、ホルダー５の組立て状態では、舌片部２０は安定して固定され、また、ホルダー５の組立て状態では、舌片部２０が底面部５８の前側の端部及び底面部６０の前側の端部に接するので、それによっても舌片部２０は安定して固定され、また、カップ状容器をホルダー５に保持させた際には、該容器が舌片部２０に接した状態となるので、カップ状容器を安定してホルダー５に保持させることができる。
【０１１６】
また、ホルダー５を持つには、把持部５０を握ればよく、把持部５０は筒状であるので、手で握りやすく、よって、カップ状容器を保持した状態で安定して手で持つことができる。
【０１１７】
また、保持部本体１２に穴部１２Ｊが形成され、把持部５０には、切欠部５０Ｍが形成されるので、スプーンの柄等を挿通させて保持することができる。
【実施例２】
【０１１８】
次に、実施例２のホルダーについて、図１１〜図１４を使用して説明する。実施例２のホルダー１０５は、実施例１のホルダー５と略同一の構成であるが、舌片部と支持部の構成が異なる。ホルダー１０５の展開状態は、図１４に示す構成となる。
【０１１９】
すなわち、実施例１の舌片部２０においては、突状部２４、２６が舌片部本体２２の両側から連設されているのに対して、実施例２の舌片部２０においては、突状部２８が舌片部本体２２の中央位置から連設されていて、台形形状を呈している。つまり、舌片部２０は、折れ線Ｃ１、Ｃ２（及び折れ線Ｃ１と折れ線Ｃ２間の直線）に沿った辺部２０ａと、辺部２０ａの左側面側の端部から連設され、略円弧状に形成された辺部２０ｂと、辺部２０ａの右側面側の端部から連設され、略円弧状に形成された辺部２０ｃと、辺部２０ｂの前側の端部から連設され、左右方向に直線状に形成された辺部２０ｄと、辺部２０ｄの右側面側の端部から連設され、前側に向けて直線状に形成された辺部２０ｅと、辺部２０ｃの前側の端部から連設され、左右方向に直線状に形成された辺部２０ｆと、辺部２０ｆの左側面側の端部から連設され、前側に向けて直線状に形成された辺部２０ｇと、辺部２０ｅの後側の端部と辺部２０ｇの後側の端部を結び、左右方向に直線状に形成された辺部２０ｈとを有している。ここで、辺部２０ｅと辺部２０ｇは、前後方向（Ｙ１−Ｙ２方向）に対して傾斜して形成され、辺部２０ｅと辺部２０ｇ間の距離が前側にいくほど大きくなるように、テーパ状に形成されている。つまり、突状部２８は、舌片部本体２２の折れ線Ｃ１、Ｃ２側とは反対側の端部における左右両側の辺部を除く部分である中央部分（折れ線Ｃ３ａの右側の端部と折れ線Ｃ３ｂの左側の端部間の部分）から折れ線Ｃ１、Ｃ２側とは反対側に突出している。
【０１２０】
また、支持部３０は、舌片部本体２２の左右両側の辺部（舌片部本体２２の折れ線Ｃ１、Ｃ２側とは反対側の端部における左右両側の辺部）から折れ線（第２折れ線）Ｃ３ａ、Ｃ３ｂを介して連設された支持板（第１支持板）３２ａ、３２ｂと、支持板３２ａ、３２ｂから折れ線（第３折れ線）Ｃ４ａ、Ｃ４ｂを介して連設された支持板（第２支持板）３４とを有している。
【０１２１】
すなわち、支持板３２ａは、舌片部本体２２の左側面側の辺部２０ｄから折れ線Ｃ３ａを介して連設され、左右方向に帯状を呈しており、また、支持板３２ｂは、舌片部本体２２の右側面側の辺部２０ｆから折れ線Ｃ３ｂを介して連設され、左右方向に帯状を呈している。すなわち、支持板３２ａは、舌片部２０と折れ線Ｃ３ａ及び切込みＫ２０ｃを介して隣接し、保持部本体１２と切込みＫ１０を介して隣接している。また、支持板３２ｂは、舌片部２０と折れ線Ｃ３ｂ及び切込みＫ２０ｄを介して隣接し、保持部本体１２と切込みＫ１１を介して隣接している。なお、折れ線Ｃ３ａと折れ線Ｃ３ｂとで折れ線Ｃ３が構成される。折れ線Ｃ３ａ、Ｃ３ｂは直線状に形成され、折れ線Ｃ３ａと折れ線Ｃ３ｂとは同一直線上に形成されている。
【０１２２】
また、支持板３４は、支持板３２ａの折れ線Ｃ３ａとは反対側の辺部から折れ線Ｃ４ａを介して連設されるとともに、支持板３２ｂの折れ線Ｃ３ｂとは反対側の辺部から折れ線Ｃ４ｂを介して連設され、切欠部３４Ｋが形成されるとともに、切欠部３４Ｋと反対側（ホルダー１０５の展開状態において、後側）に凹部（突状部２８による凹部）が形成されている。折れ線Ｃ４ａ、Ｃ４ｂは直線状に形成され、折れ線Ｃ４ａと折れ線Ｃ４ｂとは同一直線上に形成されている。
【０１２３】
すなわち、切欠部３４Ｋは、実施例１における切欠部３４Ｋと同一の構成であり、辺部３４ａ〜辺部３４ｅにより形成されている。また、支持板３４は、実施例１と同様に、辺部３４ｄから連設された辺部３４ｆと、辺部３４ｅから連設された辺部３４ｇとを有し、さらに、辺部３４ｆから連設され、折れ線Ｃ４ａに沿って形成された直線状の辺部と、辺部３４ｇから連設され、折れ線Ｃ４ｂに沿って形成された辺部と、突状部２８の辺部２０ｅの一部に沿って形成された辺部と、突状部２８の辺部２０ｇの一部に沿って形成された辺部と、突状部２８の辺部２０ｈに沿って形成された辺部とを有している。
【０１２４】
また、実施例１と同様に、支持板３４は、舌片部２０とは反対側（ホルダー１０５の展開状態における前側）に差込み片部３５、３６を有している。
【０１２５】
なお、ホルダー１０５においては、展開状態（シート状のブランクの状態）（図１４参照）において、保持部本体１２と舌片部２０とは、切込みＫ１０と切込みＫ１１を介して隣接し、保持部本体１２と支持部３０とは、切込みＫ１０と切込みＫ１１を介して隣接し、舌片部２０と支持部３０とは、切込みＫ２０ｃ、Ｋ２０ｄ、Ｋ２０ｅを介して隣接している。これらの切込みは連続した切込みとしての切目線により形成されているが、間隔を介して形成された複数の切込みとしての切目線（例えば、ミシン目状の切目線）により形成してもよい。
【０１２６】
本実施例のホルダー１０５における舌片部２０と支持部３０以外の構成（すなわち、保持部本体１２、突状部４０、把持部５０）は実施例１と同一の構成であるので、詳しい説明を省略する。
【０１２７】
ホルダー１０５の組立て方法は、実施例１のホルダー５と同様であり、まず、把持部５０を筒状に組み立て、その後、舌片部２０を保持部本体１２に対して折れ線Ｃ１、Ｃ２を介して下方に回動させるとともに、支持部３０を舌片部２０に対して折れ線Ｃ３（すなわち、折れ線Ｃ３ａ、Ｃ３ｂ）を介して後側に回動させることにより、支持板３４の差込み片部３５、３６を把持部５０の切欠部５８Ｋ、６０Ｌ、６０Ｋ、５８Ｌの位置に配置させ、差込み片部３５を開口部７０及び切欠部６０Ｌに差し込むとともに、差込み片部３６を開口部７２及び切欠部５８Ｌに差し込む。すると、舌片部２０の底面側の面が底面部５８の前側の端部である辺部５８ｃ−３と底面部６０の前側の端部である辺部６０ｃ−３に接した位置で、支持部３０が把持部５０に固定されて、図１１〜図１３に示すようにホルダー１０５の組立て状態となる。以上のようにして、ホルダー１０５の組立てを行なう。
【０１２８】
ホルダー１０５の組立て状態においては、舌片部２０が保持部本体１２から垂下した状態で固定され、舌片部２０は、保持部本体１２に対して略直角となるが、舌片部２０の下端が上端よりも前側となるように保持部本体１２に対して傾斜した状態となる。
【０１２９】
また、ホルダー１０５の組立て状態においては、支持部３０は、折れ線Ｃ４（すなわち、折れ線Ｃ４ａ、Ｃ４ｂ）を介して折曲した状態となり、支持板３２は、支持板３２の前側が後側よりも上側となるように水平方向（保持部本体１２の方向）に対して傾斜し、支持板３４は、支持板３４の前側が後側よりも下側となるように水平方向（保持部本体１２の方向）に対して傾斜する。
【０１３０】
また、ホルダー１０５の組立て状態においては、保持部本体１２には、カップ状容器を保持するための穴部１２Ｋが形成される。
【０１３１】
なお、組立て状態のホルダー１０５においては、突状部２８が下方に突出した状態となるので、組立て状態のホルダー１０５を載置面（平面状の載置面）に載置した際には、突状部２８の下端と把持部５０（特に、把持部５０の底部（つまり、把持部５０の後端の底部（具体的には、底面部５８又は底面部６０の後端）））が載置面に接する。
【０１３２】
ホルダー１０５の組立てを完了したら、実施例１の場合と同様に、保持部本体１２の穴部１２Ｋにカップ状容器を保持させる。
【０１３３】
なお、ホルダー１０５にカップ状容器を保持させた状態では、実施例１の場合と同様に、舌片部２０がカップ状容器の側面に沿った状態で該側面に接する。つまり、舌片部２０の保持部本体１２に対する傾斜角度がカップ状容器の側面の該容器の上面に対する傾斜角度α１２よりも大きい場合でも、カップ状容器の重みにより保持部本体１２が撓む（保持部本体１２の先端側が下方となるように撓む）ので、舌片部２０がカップ状容器の側面に沿った状態で該側面に接する。
【０１３４】
また、ホルダー１０５の組立て状態では、保持部本体１２に穴部１２Ｊが形成され、把持部５０には、切欠部５０Ｍが形成され、穴部１２Ｊと切欠部５０Ｍは左右方向における中心位置に設けられ、切欠部５０Ｍは穴部１２Ｊのほぼ直下（厳密には、前後方向において、穴部１２Ｊよりも若干前側）に設けられるので、スプーン９０の柄９２を上方から穴部１２Ｊに挿通し、さらに、切欠部５０Ｍと舌片部２０内の空間に挿通し、柄９２の下端を支持部３０（具体的には、支持板３２）に支持させることにより、スプーン９０を保持することができる。なお、実施例１の場合と異なり、切欠部５０Ｍの下方に支持板３２が存在しないので、スプーン９０は、柄９２から連設された本体部９４が保持部本体１２に接する状態で支持されることになる。
【０１３５】
また、支持部３０と舌片部２０と底面部５８、６０で囲まれた空間にスプーン９０の柄９２を挿通して、支持部３０の上に柄９２を配置してもよく、また、底面部５８、６０と舌片部２０と保持部本体１２で囲まれた空間にスプーン９０の柄９２を挿通して、底面部５８、６０において上側の底面部の上に柄９２を配置してもよい。
【０１３６】
カップ状容器をホルダー１０５に保持した状態で手で持つには、把持部５０を握ればよく、把持部５０を握った状態でホルダー１０５に保持されたカップ状容器５０を持ち運ぶことができる。
【０１３７】
以上のように、本実施例のホルダー１０５によれば、底面部５８と底面部６０とを重ねた状態で、差込み片部３５を開口部７０及び切欠部６０Ｌに差し込むとともに、差込み片部３６を開口部７２及び切欠部５８Ｌに差し込むことによりホルダー１０５を組み立てることができるので、ホルダー１０５を容易に組み立てることができる。特に、支持部３０の先端が、差込み片部３５と差込み片部３６とを有する二股形状となっているので、底面部における開口部と切欠部間の領域（底面部６０が底面部５８よりも底面側の場合には、開口部７２と切欠部６０Ｌ間の領域６０−１、底面部５８が底面部６０よりも底面側の場合には、開口部７０と切欠部５８Ｌ間の領域５８−１）が支持板３４の切欠部３４Ｋ内に入るようにすればよく、また、開口部７０、７２には、切欠部５４Ｋ、５６Ｋが設けられているので、差込み片部３５、３６の位置合わせが容易となる。
【０１３８】
また、把持部５０は、展開状態において左右線対称に形成され、底面部５８と底面部６０のいずれを底面側にしてもよいので、その点でもホルダー１０５の組立てが容易となる。
【０１３９】
また、舌片部２０は、保持部本体１２から連設されるとともに、支持部３０により支持されるので、ホルダー１０５の組立て状態では、舌片部２０は安定して固定され、カップ状容器をホルダー１０５に保持させた際には、該容器が舌片部２０に接した状態となるので、カップ状容器を安定してホルダー１０５に保持させることができる。
【０１４０】
特に、実施例１の場合と比べて、舌片部２０の左右方向の中心領域が下方まで長く形成されているので、カップ状容器の側面に接する長さを長くすることができ、実施例１の場合と比べても、カップ状容器を安定してホルダー１０５に保持させることができる。つまり、舌片部２０は平板状であるので、円錐台形状の側面の形状を呈するカップ状容器の側面とは、厳密には、縦方向の直線に沿った部分のみ接するので、舌片部２０の左右方向における中央領域を下方に長く構成することにより、カップ状容器の側面が舌片部２０に接する長さを長く確保することができる。
【０１４１】
また、ホルダー１０５を持つには、把持部５０を握ればよいので、カップ状容器を保持した状態で安定して手で持つことができる。
【０１４２】
また、保持部本体１２に穴部１２Ｊが形成され、把持部５０には、切欠部５０Ｍが形成されるので、スプーンの柄等を挿通させて保持することができる。
【実施例３】
【０１４３】
次に、実施例３のホルダーについて、図１５〜図２２を使用して説明する。実施例３のホルダー２０５は、実施例１のホルダー５と略同一の構成であるが、舌片部と支持部の構成が異なる。ホルダー２０５の展開状態は、図２０、図２１に示す構成となる。
【０１４４】
すなわち、実施例３の舌片部２０には、円弧状（略円弧状としてもよい）の折れ線Ｃ３１、Ｃ３２が形成され、これにより、舌片部２０は、折れ線Ｃ３１、Ｃ３２により、中央構成部２２２と左構成部２２４と右構成部２２６とに区画されている。また、舌片部２０と支持部３０間の折れ線Ｃ３は支持部３０側に膨出した円弧状（略円弧状としてもよい）に形成されている。
【０１４５】
折れ線（第４折れ線）Ｃ３１は、折れ線Ｃ１の左側面側の端部（つまり、折れ線Ｃ１と切込みＫ１０の接点）と舌片部２０と支持部３０間の折れ線Ｃ３の左側面側の端部（つまり、折れ線Ｃ３と切込みＫ２０の接点）間に形成され、折れ線Ｃ３１は、左側面側に膨出した円弧状を呈している。また、折れ線（第５折れ線）Ｃ３２は、折れ線Ｃ１の右側面側の端部（つまり、折れ線Ｃ１と切込みＫ１１の接点）と折れ線Ｃ３の右側面側の端部（つまり、折れ線Ｃ３と切込みＫ２１の接点）間に形成され、折れ線Ｃ３２は、右側面側に膨出した円弧状を呈している。
【０１４６】
なお、折れ線Ｃ１の左側面側の端部から折れ線Ｃ２の右側面側の端部までの長さは、折れ線Ｃ３の長さと略同一であり、折れ線Ｃ１の左側面側の端部の左右方向（Ｘ１−Ｘ２方向）の位置と折れ線Ｃ３の左側面側の端部の左右方向の位置は略同一であり、折れ線Ｃ２の右側面側の端部の左右方向の位置と折れ線Ｃ３の右側面側の端部の左右方向の位置は略同一である。
【０１４７】
中央構成部２２２は、折れ線Ｃ１、Ｃ２（及び折れ線Ｃ１の折れ線Ｃ２への延長線）に沿った辺部２０ａと、折れ線Ｃ３１に沿った辺部と、折れ線Ｃ３に沿った辺部と、折れ線Ｃ３２に沿った辺部２０ｈに囲まれている。
【０１４８】
また、左構成部２２４は、折れ線Ｃ３１に沿った辺部と、辺部２０ｂ、２０ｄ、２０ｅに囲まれており、右構成部２２６は、折れ線Ｃ３２に沿った辺部と、辺部２０ｃ、２０ｆ、２０ｇに囲まれている。
【０１４９】
また、支持部３０は、実施例１と同様に、支持板（第１支持板）３２と支持板（第２支持板）３４とを有しているが、支持板３２は、中央構成部２２２側の辺部（折れ線Ｃ３に沿った辺部）は、円弧状を呈している。なお、支持板３４の構成は実施例１における支持板３４と同様である。
【０１５０】
実施例３における上記以外の構成、すなわち、保持部本体１２と、把持部５０の構成は、実施例１と同様であるので、詳しい説明を省略する。
【０１５１】
実施例３のホルダー２０５使用方法は実施例１のホルダー５の場合と同様であるが、ホルダー２０５を組み立てた際に、折れ線Ｃ３が円弧状に形成されているので、中央構成部２２２が湾曲する。すなわち、中央構成部２２２は、折れ線Ｃ１、Ｃ２側から折れ線Ｃ３側にいくに従い、前後方向に湾曲している。つまり、中央構成部２２２の中央側にいくに従い、後側となるように湾曲する。すなわち、ホルダー２０５を組み立てた状態では、図１５〜図１９に示すようになる。
【０１５２】
また、中央構成部２２２が湾曲するに伴い、左構成部２２４と右構成部２２６が中央構成部２２２に対して折れ曲がり、左構成部２２４においては、左側面側が右側面側よりも前側となるように、中央構成部２２２に対して折れ曲がり、右構成部２２６においては、右側面側が左側面側よりも前側となるように、中央構成部２２２に対して折れ曲がる。つまり、左構成部２２４と右構成部２２６は内側に向けて折れ曲がる。
【０１５３】
特に、折れ線Ｃ３１、Ｃ３２が外側に膨出した円弧状に形成されているので、左構成部２２４と右構成部２２６が中央構成部２２２に対して折れ曲がりやすい。
【０１５４】
よって、ホルダー２０５にカップ状容器を保持させた状態では、舌片部２０の中央構成部２２２がカップ状容器８０の側面８２に沿った状態で該側面８２に接する（図２２参照）とともに、左構成部２２４と右構成部２２６が中央構成部２２２に対して折れ曲がっているので、カップ状容器８０が左右方向に傾いた場合でも左構成部２２４や右構成部２２６がカップ状容器８０の側面８２に接触して、カップ状容器８０がさらに傾くのを防止することができる。つまり、カップ状容器８０の底面側が左側面側に傾いた場合には、左構成部２２４がカップ状容器８０の側面８２に接し、カップ状容器８０の底面側が右側面側に傾いた場合には、右構成部２２６がカップ状容器８０の側面８２に接する。
【０１５５】
なお、左構成部２２４や右構成部２２６がカップ状容器の側面に接しやすくするには、ホルダー２０５を組み立てた後に、左構成部２２４と右構成部２２６を中央構成部２２２に対して内側にさらに折り曲げておくことが好ましい。
【０１５６】
以上のように、本実施例のホルダー２０５によれば、底面部５８と底面部６０とを重ねた状態で、差込み片部３５を開口部７０及び切欠部６０Ｌに差し込むとともに、差込み片部３６を開口部７２及び切欠部５８Ｌに差し込むことによりホルダー２０５を組み立てることができるので、ホルダー２０５を容易に組み立てることができる。特に、支持部３０の先端が、差込み片部３５と差込み片部３６とを有する二股形状となっているので、底面部における開口部と切欠部間の領域（底面部６０が底面部５８よりも底面側の場合には、開口部７２と切欠部６０Ｌ間の領域６０−１、底面部５８が底面部６０よりも底面側の場合には、開口部７０と切欠部５８Ｌ間の領域５８−１）が支持板３４の切欠部３４Ｋ内に入るようにすればよく、また、開口部７０、７２には、切欠部５４Ｋ、５６Ｋが設けられているので、差込み片部３５、３６の位置合わせが容易となる。
【０１５７】
また、把持部５０は、展開状態において左右線対称に形成され、底面部５８と底面部６０のいずれを底面側にしてもよいので、その点でもホルダー２０５の組立てが容易となる。
【０１５８】
また、舌片部２０は、保持部本体１２から連設されるとともに、支持部３０により支持されるので、ホルダー２０５の組立て状態では、舌片部２０は安定して固定され、カップ状容器をホルダー２０５に保持させた際には、該容器が舌片部２０の中央構成部２２２に接した状態となるので、カップ状容器を安定してホルダー２０５に保持させることができる。
【０１５９】
特に、左構成部２２４と右構成部２２６が中央構成部２２２に対して折れ曲がっているので、カップ状容器が左右方向に傾いた場合でも左構成部２２４や右構成部２２６がカップ状容器の側面に接触して、カップ状容器がさらに傾くのを防止することができる。
【０１６０】
また、左構成部２２４と右構成部２２６がカップ状容器の側面に接するように、左構成部２２４と右構成部２２６を中央構成部２２２に対して折り曲げておくことにより、カップ状容器をより安定してホルダー２０５に保持させることができる。
【０１６１】
また、折れ線Ｃ３が円弧状に形成されていることにより、中央構成部２２２自体も湾曲するので、中央構成部２２２がカップ状容器の側面に接した際に、接触面積を実施例１の場合に比べて大きくすることができ、カップ状容器を安定して保持することができる。
【０１６２】
また、ホルダー２０５を持つには、把持部５０を握ればよいので、カップ状容器を保持した状態で安定して手で持つことができる。
【０１６３】
また、保持部本体１２に穴部１２Ｊが形成され、把持部５０には、切欠部５０Ｍが形成されるので、スプーンの柄等を挿通させて保持することができる。
【０１６４】
なお、実施例３における上記の説明では、折れ線Ｃ３、Ｃ３１、Ｃ３２は、円弧状であるとしたが、直線状であってもよい。その場合でも、折れ線Ｃ３１、Ｃ３２を介して舌片部２０を折り曲げることにより、カップ状容器が左右方向に傾いた場合でも左構成部２２４や右構成部２２６がカップ状容器の側面に接触して、カップ状容器がさらに傾くのを防止することができ、さらには、左構成部２２４と右構成部２２６がカップ状容器の側面に接するように、左構成部２２４と右構成部２２６を中央構成部２２２に対して折り曲げておくことにより、カップ状容器をより安定してホルダー２０５に保持させることができる。
【実施例４】
【０１６５】
次に、実施例４のホルダーについて、図２３〜図３１を使用して説明する。実施例４のホルダー３０５は、実施例３のホルダー２０５と略同一の構成であるが、舌片部と把持部の構成が異なる。ホルダー３０５の展開状態は、図２８〜図３０に示す構成となる。
【０１６６】
すなわち、実施例３の舌片部２０においては、舌片部２０における中央構成部２２２と左構成部２２４と右構成部２２６とを区画する折れ線Ｃ３１、Ｃ３２が円弧状であるのに対して、実施例４の舌片部２０においては、中央構成部２２２と左構成部２２４間の折れ線Ｃ３１と、中央構成部２２２と右構成部２２６間の折れ線Ｃ３２が直線状に形成されている。
【０１６７】
なお、中央構成部２２２と支持板３２間の折れ線Ｃ３は、実施例３の場合と同様に支持部３０側に膨出した円弧状に形成されている。
【０１６８】
また、把持部５０においては、底面部５８の側面部５４側とは反対側の辺部における前側の端部から突出したアーム部５９と、底面部６０の側面部５６側とは反対側の辺部における前側の端部から突出したアーム部６１が設けられている。
【０１６９】
すなわち、アーム部（第１アーム部）５９は、底面部５８の辺部５８ｂ２の前側の端部（つまり、側面部５４側とは反対側の辺部における前側の端部）から斜め前方側に突出して形成され、底面部５８の前側の辺部５８ｃの辺部５８ｄ側とは反対側の端部（辺部５８ｃ−３の辺部５８ｃ−２側とは反対側の端部）から連設された直線状の辺部５９ａと、辺部５９ａの端部から連設された円弧状（略円弧状としてもよい）の辺部５９ｂと、辺部５９ｂの端部から連設された直線状の辺部５９ｃと、辺部５９ｃの端部から連設された円弧状（略円弧状としてもよい）の辺部５９ｄと、辺部５９ｄの端部から連設されるとともに、底面部５８の辺部５８ｂ２から連設された直線状の辺部５９ｅとを有し、辺部５９ａは、底面部５８に対して、外側（側面部５４側とは反対側）で斜め前方の方向に形成され（つまり、ホルダー３０５の組立て状態において、前方向に対して、斜め右側面側の方向（右側面側に対して、斜め前方としてもよい）形成されている）、辺部５９ｃは、辺部５９ａに対して鋭角に形成され、辺部５９ｅは、辺部５８ｂ２に対して鈍角に形成されている。なお、辺部５９ａは、辺部５８ｃ−３に対して鈍角に形成されている。
【０１７０】
アーム部５９（特に、辺部５９ａ）が、底面部５８に対して、外側で斜め前方に形成されているので、ホルダー３０５の組立て状態において、右構成部２２６の後側の面がアーム部（特に、辺部５９ａ）に接して、右構成部２２６が中央構成部２２２に対して折れ曲がった状態となる。
【０１７１】
また、アーム部（第２アーム部）６１は、把持部５０の展開状態において、アーム部５９と中心線Ｗ（Ｙ１−Ｙ２方向（前後方向）を向いた中心線）を介して左右線対称に形成され、アーム部６１は、底面部６０の辺部６０ｂ２の前側の端部（つまり、側面部５６側とは反対側の辺部における前側の端部）から斜め前方側に突出して形成され、底面部６０の前側の辺部６０ｃの辺部６０ｄ側とは反対側の端部（辺部６０ｃ−３の辺部６０ｃ−２側とは反対側の端部）から連設された直線状の辺部６１ａと、辺部６１ａの端部から連設された円弧状（略円弧状としてもよい）の辺部６１ｂと、辺部６１ｂの端部から連設された直線状の辺部６１ｃと、辺部６１ｃの端部から連設された円弧状（略円弧状としてもよい）の辺部６１ｄと、辺部６１ｄの端部から連設されるとともに、底面部６０の辺部６０ｂ２から連設された直線状の辺部６１ｅとを有し、辺部６１ａは、底面部６０に対して、外側（側面部５６側とは反対側）で斜め前方の方向に形成され（つまり、ホルダー３０５の組立て状態において、前方向に対して、斜め左側面側の方向（左側面側に対して、斜め前方としてもよい）形成されている）、辺部６１ｃは辺部６１ａに対して鋭角に形成され、辺部６１ｅは、辺部６０ｂ２に対して鈍角に形成されている。なお、辺部６１ａは、辺部６０ｃ−３に対して鈍角に形成されている。
【０１７２】
アーム部６１（特に、辺部６１ａ）が、底面部６０に対して、外側で斜め前方に形成されているので、ホルダー３０５の組立て状態において、左構成部２２４の後側の面がアーム部６１（特に、辺部６１ａ）に接して、左構成部２２４が中央構成部２２２に対して折れ曲がった状態となる。
【０１７３】
ホルダー３０５における上記以外の構成は、実施例３と同様であるので、詳しい説明を省略する。
【０１７４】
実施例４のホルダー３０５使用方法は実施例１のホルダー５の場合と同様であり、底面部５８と底面部６０とが重なった状態として把持部５０を筒状に組み立て、その後、差込み片部３５を開口部７０及び切欠部６０Ｌに差し込むとともに、差込み片部３６を開口部７２及び切欠部５８Ｌに差し込む。
【０１７５】
すると、左構成部２２４の後側の面がアーム部６１に接して中央構成部２２２に対して折れ曲がり、右構成部２２６の後側の面がアーム部５９に接して中央構成部２２２に対して折れ曲がり、図２３〜図２７の状態となる。つまり、アーム部５９が、舌片部２０の右構成部２２６が中央構成部２２２に対して前側に折れ曲がった状態で、右構成部２２６の後側の面に接し、アーム部６１が、舌片部２０の左構成部２２４が中央構成部２２２に対して前側に折れ曲がった状態で、左構成部２２４の後側の面に接する。
【０１７６】
組立て状態のホルダー３０５にカップ状容器８０を保持させると、図３１に示す状態となり、ホルダー３０５にカップ状容器８０を保持させた状態では、中央構成部２２２がカップ状容器８０の側面８２に沿った状態で該側面８２に接するとともに、左構成部２２４と右構成部２２６もカップ状容器８０の側面８２に接する。
【０１７７】
なお、カップ状容器の側面のテーパ角度によっては、左構成部２２４や右構成部２２６に接しない場合も考えられるが、カップ状容器が左右方向に傾いた場合でも左構成部２２４や右構成部２２６がカップ状容器の側面に接触して、カップ状容器がさらに傾くのを防止することができる。
【０１７８】
以上のように、本実施例のホルダー３０５によれば、底面部５８と底面部６０とを重ねた状態で、差込み片部３５を開口部７０及び切欠部６０Ｌに差し込むとともに、差込み片部３６を開口部７２及び切欠部５８Ｌに差し込むことによりホルダー３０５を組み立てることができるので、ホルダー３０５を容易に組み立てることができる。特に、支持部３０の先端が、差込み片部３５と差込み片部３６とを有する二股形状となっているので、底面部における開口部と切欠部間の領域（底面部６０が底面部５８よりも底面側の場合には、開口部７２と切欠部６０Ｌ間の領域６０−１、底面部５８が底面部６０よりも底面側の場合には、開口部７０と切欠部５８Ｌ間の領域５８−１）が支持板３４の切欠部３４Ｋ内に入るようにすればよく、また、開口部７０、７２には、切欠部５４Ｋ、５６Ｋが設けられているので、差込み片部３５、３６の位置合わせが容易となる。
【０１７９】
また、把持部５０は、展開状態において左右線対称に形成され、底面部５８と底面部６０のいずれを底面側にしてもよいので、その点でもホルダー３０５の組立てが容易となる。
【０１８０】
また、舌片部２０は、保持部本体１２から連設されるとともに、支持部３０により支持されるので、ホルダー３０５の組立て状態では、舌片部２０は安定して固定され、カップ状容器をホルダー３０５に保持させた際には、該容器が舌片部２０の中央構成部２２２と左構成部２２４と右構成部２２６に接した状態となるので、カップ状容器を安定してホルダー３０５に保持させることができる。
【０１８１】
特に、アーム部５９、６１により左構成部２２４と右構成部２２６を中央構成部２２２に対して強制的に折り曲げるので、左構成部２２４と右構成部２２６をカップ状容器の側面に接触させやすく、ホルダー３０５にカップ状容器８０を保持させた状態で、中央構成部２２２がカップ状容器８０の側面に沿った状態で該側面に接するとともに、左構成部２２４と右構成部２２６もカップ状容器８０の側面に接する状態とすることにより、実施例１〜３の場合に比べて、さらに、カップ状容器を安定してホルダー３０５に保持させることができる。
【０１８２】
また、ホルダー３０５を持つには、把持部５０を握ればよいので、カップ状容器を保持した状態で安定して手で持つことができる。
【０１８３】
また、保持部本体１２に穴部１２Ｊが形成され、把持部５０には、切欠部５０Ｍが形成されるので、スプーンの柄等を挿通させて保持することができる。
【０１８４】
なお、実施例４における上記の説明では、折れ線Ｃ３１、Ｃ３２が直線状であるとしたが、実施例３のように円弧状（略円弧状としてもよい）としてもよく、また、折れ線Ｃ３は、円弧状であるとしたが、直線状としてもよい。
【０１８５】
なお、上記各実施例において、ホルダーの組立て状態において、保持部本体１２には容器配置部としての穴部１２Ｋが設けられるとしたが、各実施例において、穴部には限られず、カップ状容器を保持するための切欠部としてもよい。つまり、穴部の代わりに、容器配置部として切欠部としてもよい。例えば、保持部本体１２の前側に切欠部３４Ｋと連通した隙間（例えば、図６において二点鎖線で示す辺部１３ｍ、１３ｎによる隙間）が形成され、その場合には、保持部本体１２においては、穴部１２Ｋから該隙間がつながった構成となるので、保持部本体１２には、穴部１２Ｋと該隙間とで切欠部が構成されることになる。
【０１８６】
また、上記の各実施例において、ホルダーの組立て状態において、保持部本体１２には、突状部４０が起立することによりスプーン９０の柄９２を挿通するための穴部１２Ｊが形成されるとしたが、ホルダーの展開状態において、突状部４０の構成を省略して、突状部４０の領域に穴部１２Ｊを形成してもよい。
【０１８７】
また、上記の各実施例において、保持部本体１２の外側の輪郭は、辺部１３ａ〜辺部１３ｇを有する構成であるとしたが、他の形状であってもよく、例えば、保持部本体１２の外側の輪郭を四角形状としてもよい。
【０１８８】
また、上記の各実施例において、把持部５０の上面部５２と底面部５８、６０は、後側に向けて先細りとなるテーパ状に形成されているとしたが、前端側から後端側に向けて同幅の構成としてもよい。その場合には、上面部５２における辺部５２ａと辺部５２ｂとが平行となり、底面部５８における辺部５８ａと辺部５８ｂ１、５８ｂ２は平行となり、底面部６０における辺部６０ａと辺部６０ｂ１、６０ｂ２は平行となる。
【０１８９】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１９０】
５、１０５、２０５、３０５  カップ状容器ホルダー
１０  保持部
１２  保持部本体
２０  舌片部
３０  支持部
３２、３４  支持板
３５、３６  差込み片部
４０  突状部
５０  把持部
５２  上面部
５４、５６  側面部
５８、６０  底面部
５９、６１  アーム部
７０、７２  開口部
３４Ｋ、５４Ｋ、５６Ｋ、５８Ｋ、５８Ｌ、６０Ｋ、６０Ｌ、５０Ｍ、５８Ｍ、６０Ｍ  切欠部
８０  カップ状容器
９０  スプーン
９２  柄
９４  本体部
２２２  中央構成部
２２４  左構成部
２２６  右構成部
Ｃ１、Ｃ２、Ｃ３、Ｃ３ａ、Ｃ３ｂ、Ｃ４、Ｃ４ａ、Ｃ４ｂ、Ｃ５、Ｃ６、Ｃ７、Ｃ８、Ｃ３１、Ｃ３２  折れ線
Ｋ１０、Ｋ１１、Ｋ２０、Ｋ２１、Ｋ４０、Ｋ５０、Ｋ５１、Ｋ２０ｂ、Ｋ２１ｂ、Ｋ２０ｃ、Ｋ２０ｄ  切込み
【図１】
0006343296.tif 000002
【図２】
0006343296.tif 000003
【図３】
0006343296.tif 000004
【図４】
0006343296.tif 000005
【図５】
0006343296.tif 000006
【図６】
0006343296.tif 000007
【図７】
0006343296.tif 000008
【図８】
0006343296.tif 000009
【図９】
0006343296.tif 000010
【図１０】
0006343296.tif 000011
【図１１】
0006343296.tif 000012
【図１２】
0006343296.tif 000013
【図１３】
0006343296.tif 000014
【図１４】
0006343296.tif 000015
【図１５】
0006343296.tif 000016
【図１６】
0006343296.tif 000017
【図１７】
0006343296.tif 000018
【図１８】
0006343296.tif 000019
【図１９】
0006343296.tif 000020
【図２０】
0006343296.tif 000021
【図２１】
0006343296.tif 000022
【図２２】
0006343296.tif 000023
【図２３】
0006343296.tif 000024
【図２４】
0006343296.tif 000025
【図２５】
0006343296.tif 000026
【図２６】
0006343296.tif 000027
【図２７】
0006343296.tif 000028
【図２８】
0006343296.tif 000029
【図２９】
0006343296.tif 000030
【図３０】
0006343296.tif 000031
【図３１】
0006343296.tif 000032